(57)【要約】【課題】副情報の不正な複製及び改ざんを防止することができる光ディスク及び光ディスク再生装置を提供する。【解決手段】光ディスク１００は、主情報を記録するための凹凸記録マークが予め形成された光ディスク基板１Ｐと、光ディスク基板１Ｐを被覆し、一定強度以上のレーザ光が照射されることによって反射率が変化する反射膜１Ｌとを備え、反射膜１Ｌには、凹凸記録マークが形成された領域上の反射膜の反射率を変化させることによって副情報を記録するための追記マークが予め形成され、主情報の記録される所定記録単位毎に副情報が記録され、副情報の記録された領域に一定強度以上のレーザ光が照射されることによって、主情報が再生されるとともに、副情報が消去される。【選択図】図１
2008269763.tif 000002
【特許請求の範囲】
【請求項１】
主情報を記録するための凹凸記録マークが予め形成された基板と、
前記基板を被覆し、一定強度以上のレーザ光が照射されることによって反射率が変化する反射膜とを備え、
前記反射膜には、前記凹凸記録マークが形成された領域上の前記反射膜の反射率を変化させることによって副情報を記録するための追記マークが予め形成され、
前記主情報の記録される所定記録単位毎に前記副情報が記録され、前記副情報の記録された領域に前記一定強度以上のレーザ光が照射されることによって、前記主情報が再生されるとともに、前記副情報が消去される光ディスク。
【請求項２】
前記反射膜は、前記凹凸記録マークを再生するときの再生レーザ強度よりも高いレーザ強度でレーザ光が照射されることによって反射率が変化し、
前記一定強度以上のレーザ光が照射される前後において、前記追記マークが形成されている領域及び前記追記マークが形成されていない領域における反射率の平均の差を縮小させることで前記副情報が消去される請求項１記載の光ディスク。
【請求項３】
前記反射膜は、不可逆的に反射率を変化させる請求項１又は２記載の光ディスク。
【請求項４】
前記所定記録単位は、同期符号により区切られるフレーム単位である請求項１〜３のいずれかに記載の光ディスク。
【請求項５】
前記所定記録単位は、アドレス情報により区切られるセクタ単位である請求項１〜３のいずれかに記載の光ディスク。
【請求項６】
前記所定記録単位は、エラー訂正符号化されたクラスタ単位である請求項１〜３のいずれかに記載の光ディスク。
【請求項７】
前記主情報は、コンテンツ情報と、前記コンテンツ情報を管理するための管理情報とを含み、
前記副情報は、前記コンテンツ情報を利用する権利に関する利用権利情報を含む請求項１〜６のいずれかに記載の光ディスク。
【請求項８】
前記利用権利情報は、前記コンテンツ情報の再生が許可されている回数を表す再生可能回数情報を含む請求項７記載の光ディスク。
【請求項９】
前記利用権利情報は、前記コンテンツ情報の再生が許可されている時間を表す再生可能時間情報を含む請求項７記載の光ディスク。
【請求項１０】
前記利用権利情報は、前記コンテンツ情報を取得する際にユーザに対して行われる課金処理に用いることが可能な金額を表す金額情報を含む請求項７記載の光ディスク。
【請求項１１】
主情報を記録するための凹凸記録マークが形成されるとともに、前記凹凸記録マークが形成された領域上の反射膜の反射率を変化させることによって副情報を記録するための追記マークが形成された光ディスクへレーザ光を照射するレーザ光照射部と、
前記光ディスクからの反射光に基づいて再生信号を生成する再生信号生成部と、
前記再生信号生成部によって生成された前記再生信号に同期したクロック信号を抽出するクロック信号抽出部と、
前記クロック信号抽出部によって抽出された前記クロック信号に同期して、前記再生信号生成部によって生成された前記再生信号の前記凹凸記録マークに対応した信号帯域成分から主情報を再生する主情報再生部と、
前記再生信号生成部によって生成された前記再生信号から、前記追記マークに対応する信号帯域成分を抽出するフィルタ部と、
前記クロック信号抽出部によって抽出された前記クロック信号に同期して、前記フィルタ部によって抽出された信号帯域成分から副情報を検出する副情報検出部と、
前記副情報検出部によって検出された前記副情報から、コンテンツ情報を利用する権利に関する利用権利情報を生成する利用権利情報生成部と、
ユーザによる前記コンテンツ情報に対する操作を受け付けるユーザ操作受付部と、
前記利用権利情報生成部によって生成された前記利用権利情報に基づいて、前記ユーザ操作受付部によって受け付けられた前記操作が可能であるか否かを判定するユーザ操作判定部と、
前記ユーザ操作判定部によって前記操作が可能であると判定された場合、前記光ディスクに一定強度以上のレーザ光を照射し、前記主情報を再生するとともに、前記副情報を消去する副情報消去部とを備える光ディスク再生装置。
【請求項１２】
前記フィルタ部は、前記再生信号の凹凸記録マークに対応する信号帯域成分を減衰させるとともに、前記信号帯域成分より低い周波数帯域の信号帯域成分を抽出する請求項１１記載の光ディスク再生装置。
【請求項１３】
前記利用権利情報は、前記コンテンツ情報の再生が許可されている回数を表す再生可能回数情報を含み、
前記再生可能回数情報は、前記主情報の所定記録単位ごとに記録され、前記コンテンツ情報の単位再生可能回数を表す再生許可情報を含み、
前記副情報検出部は、前記主情報の所定記録単位ごとに記録されている前記再生許可情報を前記副情報として検出し、
前記副情報消去部は、前記コンテンツ情報の前記単位再生可能回数の再生完了後に、前記所定記録単位の領域の前記再生許可情報を消去する請求項１１又は１２記載の光ディスク再生装置。
【請求項１４】
前記利用権利情報は、前記コンテンツ情報の再生が許可されている時間を表す再生可能時間情報を含み、
前記再生可能時間情報は、前記主情報の所定記録単位ごとに記録され、前記コンテンツ情報の単位再生可能時間を表す再生許可情報を含み、
前記副情報検出部は、前記主情報の所定記録単位ごとに記録されている前記再生許可情報を前記副情報として検出し、
前記副情報消去部は、前記コンテンツ情報の前記単位再生可能時間の再生完了後に、前記所定記録単位の領域の前記再生許可情報を消去する請求項１１又は１２記載の光ディスク再生装置。
【請求項１５】
前記利用権利情報は、前記コンテンツ情報を取得する際にユーザに対して行われる課金処理に用いることが可能な金額を表す金額情報を含み、
前記金額情報は、前記主情報の所定記録単位ごとに記録され、所定単位の金額を表す単位金額情報を含み、
前記副情報検出部は、前記主情報の所定記録単位ごとに記録されている前記単位金額情報を前記副情報として検出し、
前記光ディスク再生装置は、
前記コンテンツ情報に対して課金される金額を表す課金情報を取得する取得部と、
前記副情報検出部によって検出された前記単位金額情報で示される金額から、前記取得部によって取得された前記課金情報で示される金額を減算し、減算結果に基づいて前記副情報を消去する区間を判定する消去判定部とをさらに備え、
前記副情報消去部は、前記消去判定部によって判定された前記区間の前記副情報を消去する請求項１１又は１２記載の光ディスク再生装置。
【請求項１６】
前記副情報消去部は、前記ユーザ操作判定部によって前記操作が可能であると判定された場合、前記凹凸記録マークを再生するための再生レーザ強度よりも高いレーザ強度でレーザ光を照射し、前記主情報を再生するとともに、前記副情報を消去する請求項１１〜１５のいずれかに記載の光ディスク再生装置。
【請求項１７】
前記副情報消去部は、前記ユーザ操作判定部によって前記操作が可能であると判定された場合、前記凹凸記録マークを再生するための再生レーザ強度の５倍以上のレーザ強度でレーザ光を照射し、前記主情報を再生するとともに、前記副情報を消去する請求項１６記載の光ディスク再生装置。
【請求項１８】
前記光ディスク再生装置は、照射するレーザ光に高周波パルスを重畳する高周波モジュールをさらに備え、
前記副情報消去部は、前記一定強度以上のレーザ光を照射する場合、前記高周波モジュールを使用しない請求項１１〜１７のいずれかに記載の光ディスク再生装置。
【請求項１９】
前記光ディスク再生装置は、照射するレーザ光に高周波パルスを重畳する高周波モジュールをさらに備え、
前記副情報消去部は、前記一定強度以上のレーザ光を照射する場合、前記凹凸記録マークを再生するために照射するレーザ光に重畳する前記高周波モジュールの高周波パルスの重畳周波数を下げる請求項１１〜１７いずれかに記載の光ディスク再生装置。
【請求項２０】
前記副情報検出部は、前記副情報を消去した後、消去した前記副情報が記録されていた領域にレーザ光を照射し、前記副情報が検出されるか否かを確認する請求項１１〜１９のいずれかに記載の光ディスク再生装置。
【発明の詳細な説明】
【技術分野】
【０００１】
本発明は、凹凸記録マークによって主情報が記録されるとともに、前記凹凸記録マークが形成された領域上の反射膜の反射率を変化させることによって副情報が記録される光ディスク及びその光ディスクを再生する光ディスク再生装置に関するものである。
【背景技術】
【０００２】
近年、光ディスクは、映画、音楽及びゲーム等のコンテンツの流通媒体として、幅広く利用されている。また、最近では、高速ネットワークの普及によって、ネットワークを利用したコンテンツ情報の流通が盛んに行われている。
【０００３】
ネットワークを介してコンテンツ情報を入手する場合には、コンテンツ情報の利用料の課金が必要となる。現在では、クレジットカード又はカード型の電子マネー等を利用して、安全に課金が行われる。従って、クレジットカードや電子マネーを持たない利用者は、このようなシステムを利用することができない。
【０００４】
そこで、クレジットカードを持たないユーザに対してもネットワーク上の電子決済を利用可能とする発明が開示されている（例えば、特許文献１参照）。
【０００５】
上記従来技術によれば、まず、ユーザは、固有のメディア識別番号（ＳＣ−ＩＤ）が付された光ディスク又はプリペイドカードを購入する。続いて、クライアント端末装置は、メディア識別番号を読み出し、メディア識別番号とともに、メモリーカードに固有の識別情報（ＭＣ−ＩＤ）とクライアント装置毎に固有のクライアントＩＤとをサーバに送信する。サーバは、ＭＣ−ＩＤ及びクライアントＩＤに対応付けて、ＳＣ−ＩＤに対応するプリペイド金額を記憶する。そして、サーバは、サービス提供の際に、ＭＣ−ＩＤ及びクライアントＩＤからサービスを受けるユーザを特定し、提供するサービスに応じた金額を、そのユーザのプリペイド金額に対して課金処理したうえでサービスの提供を行う。したがって、クレジットカードなしでもユーザに課金の必要なサービスを提供することができる。
【特許文献１】特開２００２−３２４２００号公報
【発明の開示】
【発明が解決しようとする課題】
【０００６】
しかしながら、上記従来技術では、課金処理に対してサーバとのネットワーク接続が必須となる。従って、ネットワークに接続できない環境での利用は不可能である。例えば、メモリーカードに記録済みのコンテンツ情報の１回ずつの視聴に対して課金を行いたい場合でも、ネットワークの接続ができなければコンテンツ情報の利用ができない。
【０００７】
また、上記従来技術では、メモリーカードとは別に金額情報を記録した光ディスク又はプリペイドカードが必要になる。
【０００８】
また、光ディスクに通常の記録方法で金額情報を記録した場合、不正にその金額情報が複製されてしまうという問題も存在する。
【０００９】
また、サーバ側で金額情報を登録して利用するため、過去に利用した光ディスク又はプリペイドカードの情報を半永久的に管理しておかなければ、使用済みの光ディスク又はプリペイドカードが不正利用される可能性が存在するという問題も存在する。
【００１０】
本発明は、上記の問題を解決するためになされたもので、副情報の不正な複製及び改ざんを防止することができる光ディスク及び光ディスク再生装置を提供することを目的とするものである。
【課題を解決するための手段】
【００１１】
本発明の一局面に係る光ディスクは、主情報を記録するための凹凸記録マークが予め形成された基板と、前記基板を被覆し、一定強度以上のレーザ光が照射されることによって反射率が変化する反射膜とを備え、前記反射膜には、前記凹凸記録マークが形成された領域上の前記反射膜の反射率を変化させることによって副情報を記録するための追記マークが予め形成され、前記主情報の記録される所定記録単位毎に前記副情報が記録され、前記副情報の記録された領域に前記一定強度以上のレーザ光が照射されることによって、前記主情報が再生されるとともに、前記副情報が消去される。
【００１２】
この構成によれば、光ディスクは、主情報を記録するための凹凸記録マークが形成された基板と、基板を被覆し、一定強度以上のレーザ光が照射されることによって反射率が変化する反射膜とを備える。そして、反射膜には、凹凸記録マークが形成された領域上の反射膜の反射率を変化させることによって副情報を記録するための追記マークが予め形成されている。主情報の記録される所定記録単位毎に副情報が記録され、副情報の記録された領域に前記一定強度以上のレーザ光が照射されることによって、主情報が再生されるとともに、副情報が消去される。
【００１３】
したがって、反射膜の反射率を変化させることによって副情報が記録されており、一定強度以上のレーザ光が照射されることによって副情報が消去されるので、副情報の不正な複製及び改ざんを防止することができる。
【００１４】
また、上記の光ディスクにおいて、前記反射膜は、前記凹凸記録マークを再生するときの再生レーザ強度よりも高いレーザ強度でレーザ光が照射されることによって反射率が変化し、前記一定強度以上のレーザ光が照射される前後において、前記追記マークが形成されている領域及び前記追記マークが形成されていない領域における反射率の平均の差を縮小させることで前記副情報が消去されることが好ましい。
【００１５】
この構成によれば、反射膜は、凹凸記録マークを再生するときの再生レーザ強度よりも高いレーザ強度でレーザ光が照射されることによって反射率が変化する。そして、一定強度以上のレーザ光が照射された後の追記マークが形成されている領域及び追記マークが形成されていない領域における反射率の平均の差を、一定強度以上のレーザ光が照射される前の追記マークが形成されている領域及び追記マークが形成されていない領域における反射率の平均の差よりも縮小させることで副情報が消去される。
【００１６】
したがって、一定強度以上のレーザ光が照射されることで、副情報が記録されている領域における追記マークが形成されていない領域に追記マークが形成され、追記マークが形成されている領域及び追記マークが形成されていない領域における反射率の平均の差がなくなるので、副情報を消去することができる。
【００１７】
また、上記の光ディスクにおいて、前記反射膜は、不可逆的に反射率を変化させることが好ましい。この構成によれば、反射膜の反射率を不可逆的に変化させることで副情報が消去されるので、一旦反射率を変化させると、元の反射率に戻すことができず、副情報の改ざんを防止することができる。
【００１８】
また、上記の光ディスクにおいて、前記所定記録単位は、同期符号により区切られるフレーム単位であることが好ましい。この構成によれば、同期符号により区切られるフレーム単位毎に副情報を記録することができる。
【００１９】
また、上記の光ディスクにおいて、前記所定記録単位は、アドレス情報により区切られるセクタ単位であることが好ましい。この構成によれば、アドレス情報により区切られるセクタ単位毎に副情報を記録することができる。
【００２０】
また、上記の光ディスクにおいて、前記所定記録単位は、エラー訂正符号化されたクラスタ単位であることが好ましい。この構成によれば、エラー訂正符号化されたクラスタ単位毎に副情報を記録することができる。
【００２１】
また、上記の光ディスクにおいて、前記主情報は、コンテンツ情報と、前記コンテンツ情報を管理するための管理情報とを含み、前記副情報は、前記コンテンツ情報を利用する権利に関する利用権利情報を含むことが好ましい。
【００２２】
この構成によれば、コンテンツ情報を利用する権利に関する利用権利情報が凹凸記録マークが形成された領域上の反射膜の反射率を変化させることによって記録されており、利用権利情報の記録された領域に一定強度以上のレーザ光が照射されることによって、コンテンツ情報又は管理情報が再生されるとともに、利用権利情報が消去される。したがって、コンテンツ情報の利用に応じて、利用権利情報を消去することができ、光ディスクのみを用いて安全にコンテンツ情報の利用を管理することができる。
【００２３】
また、上記の光ディスクにおいて、前記利用権利情報は、前記コンテンツ情報の再生が許可されている回数を表す再生可能回数情報を含むことが好ましい。
【００２４】
この構成によれば、コンテンツ情報の再生が許可されている回数を表す再生可能回数情報が凹凸記録マークが形成された領域上の反射膜の反射率を変化させることによって記録されており、再生可能回数情報の記録された領域に一定強度以上のレーザ光が照射されることによって、コンテンツ情報又は管理情報が再生されるとともに、再生可能回数情報が消去される。
【００２５】
したがって、コンテンツ情報の再生に応じて、再生可能回数情報を消去することができ、光ディスクのみを用いて安全にコンテンツ情報の再生回数を管理することができる。また、光ディスクに記録されているコンテンツ情報の再生可能な回数を制限する著作権管理を実現することができる。
【００２６】
また、上記の光ディスクにおいて、前記利用権利情報は、前記コンテンツ情報の再生が許可されている時間を表す再生可能時間情報を含むことが好ましい。
【００２７】
この構成によれば、コンテンツ情報の再生が許可されている時間を表す再生可能時間情報が凹凸記録マークが形成された領域上の反射膜の反射率を変化させることによって記録されており、再生可能時間情報の記録された領域に一定強度以上のレーザ光が照射されることによって、コンテンツ情報又は管理情報が再生されるとともに、再生可能時間情報が消去される。
【００２８】
したがって、コンテンツ情報の再生に応じて、再生可能時間情報を消去することができ、光ディスクのみを用いて安全にコンテンツ情報の再生時間を管理することができる。また、光ディスクに記録されているコンテンツ情報の再生可能な時間を制限する著作権管理を実現することができる。
【００２９】
また、上記の光ディスクにおいて、前記利用権利情報は、前記コンテンツ情報を取得する際にユーザに対して行われる課金処理に用いることが可能な金額を表す金額情報を含むことが好ましい。
【００３０】
この構成によれば、コンテンツ情報を取得する際にユーザに対して行われる課金処理に用いることが可能な金額を表す金額情報が凹凸記録マークが形成された領域上の反射膜の反射率を変化させることによって記録されており、金額情報の記録された領域に一定強度以上のレーザ光が照射されることによって、コンテンツ情報又は管理情報が再生されるとともに、金額情報が消去される。したがって、コンテンツ情報の取得に応じて、金額情報を消去することができ、光ディスクのみを用いて安全にコンテンツ情報に対する課金を管理することができる。
【００３１】
本発明の他の局面に係る光ディスク再生装置は、主情報を記録するための凹凸記録マークが形成されるとともに、前記凹凸記録マークが形成された領域上の反射膜の反射率を変化させることによって副情報を記録するための追記マークが形成された光ディスクへレーザ光を照射するレーザ光照射部と、前記光ディスクからの反射光に基づいて再生信号を生成する再生信号生成部と、前記再生信号生成部によって生成された前記再生信号に同期したクロック信号を抽出するクロック信号抽出部と、前記クロック信号抽出部によって抽出された前記クロック信号に同期して、前記再生信号生成部によって生成された前記再生信号の前記凹凸記録マークに対応した信号帯域成分から主情報を再生する主情報再生部と、前記再生信号生成部によって生成された前記再生信号から、前記追記マークに対応する信号帯域成分を抽出するフィルタ部と、前記クロック信号抽出部によって抽出された前記クロック信号に同期して、前記フィルタ部によって抽出された信号帯域成分から副情報を検出する副情報検出部と、前記副情報検出部によって検出された前記副情報から、コンテンツ情報を利用する権利に関する利用権利情報を生成する利用権利情報生成部と、ユーザによる前記コンテンツ情報に対する操作を受け付けるユーザ操作受付部と、前記利用権利情報生成部によって生成された前記利用権利情報に基づいて、前記ユーザ操作受付部によって受け付けられた前記操作が可能であるか否かを判定するユーザ操作判定部と、前記ユーザ操作判定部によって前記操作が可能であると判定された場合、前記光ディスクに一定強度以上のレーザ光を照射し、前記主情報を再生するとともに、前記副情報を消去する副情報消去部とを備える。
【００３２】
この構成によれば、まず、主情報を記録するための凹凸記録マークが形成されるとともに、凹凸記録マークが形成された領域上の反射膜の反射率を変化させることによって副情報を記録するための追記マークが形成された光ディスクへレーザ光が照射される。そして、光ディスクからの反射光に基づいて再生信号が生成され、生成された再生信号に同期したクロック信号が抽出される。抽出されたクロック信号に同期して、生成された再生信号の凹凸記録マークに対応した信号帯域成分から主情報が再生される。生成された再生信号から、追記マークに対応する信号帯域成分が抽出され、抽出されたクロック信号に同期して、抽出された信号帯域成分から副情報が検出される。検出された副情報から、コンテンツ情報を利用する権利に関する利用権利情報が生成され、ユーザによるコンテンツ情報に対する操作が受け付けられる。その後、生成された利用権利情報に基づいて、受け付けられた操作が可能であるか否かが判定され、操作が可能であると判定された場合、光ディスクに一定強度以上のレーザ光が照射され、主情報が再生されるとともに、副情報が消去される。
【００３３】
したがって、反射膜の反射率を変化させることによって副情報が記録されており、一定強度以上のレーザ光が照射されることによって副情報が消去されるので、副情報の不正な複製及び改ざんを防止することができる。
【００３４】
なお、レーザ光照射部と副情報消去部とは一体に構成されてもよい。
【００３５】
また、上記の光ディスク再生装置において、前記フィルタ部は、前記再生信号の凹凸記録マークに対応する信号帯域成分を減衰させるとともに、前記信号帯域成分より低い周波数帯域の信号帯域成分を抽出することが好ましい。
【００３６】
この構成によれば、再生信号の凹凸記録マークに対応する信号帯域成分が減衰されるとともに、凹凸記録マークに対応する信号帯域成分より低い周波数帯域の信号帯域成分が抽出されるので、追記マークに対応する信号帯域成分を抽出することができる。
【００３７】
また、上記の光ディスク再生装置において、前記利用権利情報は、前記コンテンツ情報の再生が許可されている回数を表す再生可能回数情報を含み、前記再生可能回数情報は、前記主情報の所定記録単位ごとに記録され、前記コンテンツ情報の単位再生可能回数を表す再生許可情報を含み、前記副情報検出部は、前記主情報の所定記録単位ごとに記録されている前記再生許可情報を前記副情報として検出し、前記副情報消去部は、前記コンテンツ情報の前記単位再生可能回数の再生完了後に、前記所定記録単位の領域の前記再生許可情報を消去することが好ましい。
【００３８】
この構成によれば、利用権利情報は、コンテンツ情報の再生が許可されている回数を表す再生可能回数情報を含み、再生可能回数情報は、主情報の所定記録単位ごとに記録され、コンテンツ情報の単位再生可能回数を表す再生許可情報を含む。そして、主情報の所定記録単位ごとに記録されている再生許可情報が副情報として検出され、コンテンツ情報の単位再生可能回数の再生完了後に、所定記録単位の領域の再生許可情報が消去される。
【００３９】
したがって、コンテンツ情報の再生に応じて、主情報の所定記録単位ごとに記録されている、コンテンツ情報の単位再生可能回数を表す再生許可情報が消去されるので、光ディスクのみを用いて安全にコンテンツ情報の再生回数を管理することができる。また、光ディスクに記録されているコンテンツ情報の再生可能な回数を制限する著作権管理を実現することができる。
【００４０】
また、上記の光ディスク再生装置において、前記利用権利情報は、前記コンテンツ情報の再生が許可されている時間を表す再生可能時間情報を含み、前記再生可能時間情報は、前記主情報の所定記録単位ごとに記録され、前記コンテンツ情報の単位再生可能時間を表す再生許可情報を含み、前記副情報検出部は、前記主情報の所定記録単位ごとに記録されている前記再生許可情報を前記副情報として検出し、前記副情報消去部は、前記コンテンツ情報の前記単位再生可能時間の再生完了後に、前記所定記録単位の領域の前記再生許可情報を消去することが好ましい。
【００４１】
この構成によれば、利用権利情報は、コンテンツ情報の再生が許可されている時間を表す再生可能時間情報を含み、再生可能時間情報は、主情報の所定記録単位ごとに記録され、コンテンツ情報の単位再生可能時間を表す再生許可情報を含む。そして、主情報の所定記録単位ごとに記録されている再生許可情報が副情報として検出され、コンテンツ情報の単位再生可能時間の再生完了後に、所定記録単位の領域の再生許可情報が消去される。
【００４２】
したがって、コンテンツ情報の再生に応じて、主情報の所定記録単位ごとに記録されている、コンテンツ情報の単位再生可能時間を表す再生許可情報が消去されるので、光ディスクのみを用いて安全にコンテンツ情報の再生時間を管理することができる。また、光ディスクに記録されているコンテンツ情報の再生可能な時間を制限する著作権管理を実現することができる。
【００４３】
また、上記の光ディスク再生装置において、前記利用権利情報は、前記コンテンツ情報を取得する際にユーザに対して行われる課金処理に用いることが可能な金額を表す金額情報を含み、前記金額情報は、前記主情報の所定記録単位ごとに記録され、所定単位の金額を表す単位金額情報を含み、前記副情報検出部は、前記主情報の所定記録単位ごとに記録されている前記単位金額情報を前記副情報として検出し、前記光ディスク再生装置は、前記コンテンツ情報に対して課金される金額を表す課金情報を取得する取得部と、前記副情報検出部によって検出された前記単位金額情報で示される金額から、前記取得部によって取得された前記課金情報で示される金額を減算し、減算結果に基づいて前記副情報を消去する区間を判定する消去判定部とをさらに備え、前記副情報消去部は、前記消去判定部によって判定された前記区間の前記副情報を消去することが好ましい。
【００４４】
この構成によれば、利用権利情報は、コンテンツ情報を取得する際にユーザに対して行われる課金処理に用いることが可能な金額を表す金額情報を含み、金額情報は、主情報の所定記録単位ごとに記録され、所定単位の金額を表す単位金額情報を含む。そして、主情報の所定記録単位ごとに記録されている単位金額情報が副情報として検出され、コンテンツ情報に対して課金される金額を表す課金情報が取得される。検出された単位金額情報で示される金額から、取得された課金情報で示される金額が減算され、減算結果に基づいて副情報を消去する区間が判定され、判定された区間の副情報が消去される。
【００４５】
したがって、コンテンツ情報の取得に応じて、光ディスクに記録されている課金可能な金額から、コンテンツ情報に対して課金される金額が減算され、減算結果に応じた副情報が消去されるので、光ディスクのみを用いて安全にコンテンツ情報に対する課金を管理することができる。
【００４６】
また、上記の光ディスク再生装置において、前記副情報消去部は、前記ユーザ操作判定部によって前記操作が可能であると判定された場合、前記凹凸記録マークを再生するための再生レーザ強度よりも高いレーザ強度でレーザ光を照射し、前記主情報を再生するとともに、前記副情報を消去することが好ましい。
【００４７】
この構成によれば、操作が可能であると判定された場合、凹凸記録マークを再生するための再生レーザ強度よりも高いレーザ強度でレーザ光が照射され、主情報が再生されるとともに、副情報が消去される。
【００４８】
したがって、凹凸記録マークを再生するための再生レーザ強度よりも高いレーザ強度でレーザ光が照射されるので、副情報が記録されている領域における追記マークが形成されていない領域にも追記マークが形成されるととなり、副情報を消去することができる。
【００４９】
また、上記の光ディスク再生装置において、前記副情報消去部は、前記ユーザ操作判定部によって前記操作が可能であると判定された場合、前記凹凸記録マークを再生するための再生レーザ強度の５倍以上のレーザ強度でレーザ光を照射し、前記主情報を再生するとともに、前記副情報を消去することが好ましい。
【００５０】
この構成によれば、操作が可能であると判定された場合、凹凸記録マークを再生するための再生レーザ強度の５倍以上のレーザ強度でレーザ光が照射され、主情報が再生されるとともに、副情報が消去される。
【００５１】
したがって、凹凸記録マークを再生するための再生レーザ強度の５倍以上のレーザ強度でレーザ光が照射されるので、副情報が記録されている領域における追記マークが形成されていない領域にも追記マークが形成されるととなり、副情報を消去することができる。
【００５２】
また、上記の光ディスク再生装置において、前記光ディスク再生装置は、照射するレーザ光に高周波パルスを重畳する高周波モジュールをさらに備え、前記副情報消去部は、前記一定強度以上のレーザ光を照射する場合、前記高周波モジュールを使用しないことが好ましい。
【００５３】
この構成によれば、一定強度以上のレーザ光を照射する場合、照射するレーザ光に高周波パルスを重畳する高周波モジュールを使用することなく、レーザ光が照射されるので、凹凸記録マークを再生するための再生レーザ強度よりも高いレーザ強度でレーザ光を照射することができる。また、既存の光ディスク再生装置は、高周波モジュールを備えているので、物理的な構成要素を新たに加える必要がなく、高周波モジュールを使用するか否かを制御することで容易に一定強度以上のレーザ光を照射させることができる。
【００５４】
また、上記の光ディスク再生装置において、前記光ディスク再生装置は、照射するレーザ光に高周波パルスを重畳する高周波モジュールをさらに備え、前記副情報消去部は、前記一定強度以上のレーザ光を照射する場合、前記凹凸記録マークを再生するために照射するレーザ光に重畳する前記高周波モジュールの高周波パルスの重畳周波数を下げることが好ましい。
【００５５】
この構成によれば、一定強度以上のレーザ光を照射する場合、凹凸記録マークを再生するために照射するレーザ光に重畳する高周波モジュールの高周波パルスの重畳周波数が下げられるので、凹凸記録マークを再生するための再生レーザ強度よりも高いレーザ強度でレーザ光を照射することができる。また、既存の光ディスク再生装置は、高周波モジュールを備えているので、物理的な構成要素を新たに加える必要がなく、高周波モジュール高周波パルスの重畳周波数を制御することで容易に一定強度以上のレーザ光を照射させることができる。
【００５６】
また、上記の光ディスク再生装置において、前記副情報検出部は、前記副情報を消去した後、消去した前記副情報が記録されていた領域にレーザ光を照射し、前記副情報が検出されるか否かを確認することが好ましい。
【００５７】
この構成によれば、副情報が消去された後、消去された副情報が記録されていた領域にレーザ光が照射され、副情報が検出されるか否かが確認されるので、確実に副情報を消去することができる。
【発明の効果】
【００５８】
本発明によれば、反射膜の反射率を変化させることによって副情報が記録されており、一定強度以上のレーザ光が照射されることによって副情報が消去されるので、副情報の不正な複製及び改ざんを防止することができる。
【発明を実施するための最良の形態】
【００５９】
以下添付図面を参照しながら、本発明の実施の形態について説明する。尚、以下の実施の形態は、本発明を具体化した一例であって、本発明の技術的範囲を限定する性格のものではない。
【００６０】
（光ディスク構造）
図１は、本発明の一実施の形態に係る光ディスクの構造を示す概念図である。図１に示す光ディスク１００は、クランプ領域ＣＬＰ、内周側及び外周側のコントロール領域ＣＴＬ及びユーザ領域ＵＳＲから構成される。
【００６１】
クランプ領域ＣＬＰは、光ディスク１００をローディングするときの送り部であり、通常、なんら情報を記録していない。ユーザ領域ＵＳＲは、凹凸記録マークによって、コンテンツ情報などが記録されている。
【００６２】
コントロール領域ＣＴＬは、ユーザ領域ＵＳＲの内周側及び外周側の２箇所設けられ、凹凸記録マークによって、光ディスク１００の管理情報などが記録されている。また、光ディスク１００の特徴は、内周側のコントロール領域ＣＴＬの凹凸記録マークの成すトラックと同一トラックの凹凸記録マークが形成された領域上の反射膜１Ｌの反射率をレーザ光が照射されることによって局所的に変更することによって副情報が記録されている点である。
【００６３】
光ディスク１００は、スタンパによる凹凸記録マークを光ディスク基板１Ｐに転写して、転写された凹凸記録マーク上にレーザ照射に応じて反射率の変化する反射膜１Ｌを蒸着（スパッタリング）して、さらにその上を例えば薄膜シートの付与やスピンコート工法によってカバー層１Ｃで覆うことによって成形される。光ディスク１００の成形後、内周側のコントロール領域ＣＴＬの凹凸記録マークへのレーザ照射によって、副情報が、光ディスク１枚１枚に固有の情報として重畳記録される。
【００６４】
光ディスク１００の反射膜１Ｌは、レーザ光が照射されることによって不可逆的な反射率変化をする有機系材料の色素膜で構成される。この反射膜１Ｌは、ある所定強度のレーザ光が照射されることによる熱変動で反射率を変化させることによって情報が記録できる。
【００６５】
このように、光ディスク１００は、主情報を記録するための凹凸記録マークが予め形成された光ディスク基板１Ｐと、光ディスク基板１Ｐを被覆し、一定強度以上のレーザ光が照射されることによって反射率が変化する反射膜１Ｌとを備える。そして、反射膜１Ｌには、凹凸記録マークが形成された領域上の反射膜１Ｌの反射率を変化させることによって副情報を記録するための追記マークが予め形成されている。また、主情報の記録される所定記録単位毎に副情報が記録され、副情報の記録された領域に一定強度以上のレーザ光が照射されることによって、主情報が再生されるとともに、副情報が消去される。
【００６６】
図２は、本実施の形態に係る光ディスクの内周側のコントロール領域の記録面を示す概念図である。本発明の一実施の形態に係る光ディスク１００は、コンテンツ情報（主情報）とコンテンツ情報の利用権利情報（副情報）とをともに記録している。
【００６７】
本実施の形態における光ディスク１００には、符号化して変調した主情報が、凹凸記録マーク１０として記録される。なお、主情報は、コンテンツ情報と、コンテンツ情報を管理するための管理情報とを含む。光ディスク１００を再生する場合には、凹凸記録マーク１０に沿って、再生強度のレーザを記録面にフォーカスして照射し、その反射光の強度から、凹凸記録マーク１０を読み出し、管理情報及びコンテンツ情報を再生する。
【００６８】
また、光ディスク１００は、記録面に被膜する反射膜として、レーザ照射で特定波長の光の反射率を変化させることのできる材料を用いる。この反射膜には、一般的にライトワンスメディアで利用されている色素膜などが利用される。出荷時に、凹凸記録マーク１０でコンテンツ情報の記録された、成形済みの光ディスク１００に対して、再生強度よりも高い記録強度のレーザ光が照射されることで、部分的に反射率の異なる追記マーク１１が形成され、副情報が予め記録される。なお、副情報は、ユーザがコンテンツ情報を利用する権利に関する利用権利情報を含む。
【００６９】
コンテンツ情報の利用権利情報は、コンテンツ情報をダウンロードする際にユーザに対して行われる課金処理に用いることが可能な金額を表す金額情報、予め凹凸記録マーク１０で記録されているコンテンツ情報の再生が許可されている回数を表す再生可能回数情報、又は予め凹凸記録マーク１０で記録されているコンテンツ情報の再生が許可されている時間を表す再生可能時間情報などを含む。
【００７０】
このような利用権利情報は、ユーザによるコンテンツ情報のダウンロードあるいは記録済みコンテンツ情報の利用によって消去される。図２に示す光ディスク１０１は、利用権利情報の一部が消去された光ディスクである。
【００７１】
利用権利情報の消去は、凹凸記録マーク上の反射率を変化させた追記マークの記録された領域に対して、記録強度のレーザ光１２を照射することで、レーザ光１２を照射した全ての領域の反射膜の反射率を変化させて、利用権利情報を消去する。図２の破線で示す領域１３は、レーザ光１２により追記マークが上書きされることにより、利用権利情報が消去されている。
【００７２】
本実施の形態に係る光ディスクを利用することによって、出荷時に予めコンテンツ情報とコンテンツ情報の利用権利情報とを記録した光ディスクを流通させ、ユーザによってコンテンツ情報の権利行使があれば、記録強度のレーザ光を照射することによって利用権利情報を消去できる光ディスクを実現することができる。この光ディスクを利用すれば、光ディスク単価や光ディスク再生装置単価を上昇させることなく、ネットワークを利用しない形態で、コンテンツ情報のダウンロードに対する課金を行うことができ、コンテンツ情報の利用制御を安全に行うことができる。
【００７３】
（利用回数制限）
次に、本発明の一実施の形態に係る光ディスクを用いて、光ディスクに記録されたコンテンツ情報の再生回数を制限する方法について説明する。
【００７４】
図３は、利用権利情報として再生可能回数情報を記録した光ディスクについて説明するための概念図である。
【００７５】
図３に示す光ディスク２は、光ディスクの内周側のコントロールデータ領域２１に、光ディスクを再生するための管理情報と、光ディスクに記録されたコンテンツ情報の再生回数に関した利用権利情報とを記録している。管理情報は、凹凸記録マークにより記録されている。利用権利情報は、凹凸記録マーク上にレーザ光を照射することで反射膜の反射率を変化させた追記マークにより記録されている。
【００７６】
光ディスク２のコントロールデータ領域２１に凹凸記録マークで記録されている管理情報は、情報を再生するために同期符号により区切られるデータ単位であるフレーム、複数のフレームからなりアドレス情報により区切られるデータ単位であるセクタ、及び、複数のセクタからなりエラー訂正符号化されたデータ単位であるクラスタのようなフォーマットで記録される。
【００７７】
光ディスク２のコントロールデータ領域２１の凹凸記録マーク上の反射膜の反射率を変化させて記録されている利用権利情報は、凹凸記録マークのデータ構造、すなわちフレーム、セクタ又はクラスタに同期して記録されている。本実施の形態では、クラスタ単位に１回分の再生許可を示す利用権利情報が記録されている。したがって、再生可能回数情報は、再生回数に応じた複数の再生許可情報を含み、１つのクラスタに１回分の再生を許可する再生許可情報が記録されている。例えば、コンテンツ情報の再生を３回だけ許可する場合、光ディスク２には、３つの再生許可情報が再生可能回数情報として記録されることとなる。
【００７８】
ユーザが、コンテンツ情報を１回再生すれば、利用権利情報の記録された先頭の１クラスタに記録強度のレーザ光が照射され、１クラスタ内の反射膜の反射率を変化させて、追記マークが消去される。これにより、１回分の再生許可情報が削除される。
【００７９】
本実施の形態では、利用権利情報は、コンテンツ情報の再生を１回だけ許可する再生許可情報を、コンテンツ情報の再生を許可する回数に応じた数だけ含んでいる。そして、コンテンツ情報が１回再生される毎に再生許可情報が１つずつ削除される。
【００８０】
以上説明したように、本実施の形態に係る光ディスクは、凹凸記録マークのデータ構造に同期して、反射膜の反射率を変化させて追記マークを形成することによって、追記マークを再生するための新たな同期符号等が不要であり、凹凸記録マークの再生時に、凹凸記録マークのデータ構造に応じて、追記マークの再生も行うことができる。
【００８１】
また、凹凸記録マークのクラスタ単位に対応付けて、コンテンツ情報の再生を１回だけ許可する再生許可情報が記録されている。したがって、ユーザによってコンテンツ情報が再生されるたびに、利用権利情報の記録された先頭のクラスタの追記マークを消去して、コンテンツ情報の利用回数を制限することができる。
【００８２】
また、本実施の形態では、ネットワークを利用する必要がないので、ネットワークに接続可能な場所に限定されないで、本光ディスクを利用することができる。
【００８３】
また、通常、光ディスク再生装置は、凹凸記録マークの再生信号を安定して読み出すためにも、再生信号の中心位置制御を行う。本光ディスクの追記マークは、反射率変化の有無を利用権利情報の復元に用いるため、追記マークの記録帯域は、光ディスク再生装置の再生信号の中心位置制御の追従帯域より早い帯域で記録することが望ましい。
【００８４】
なお、本実施の形態では、凹凸記録マークの１クラスタに１回分の再生許可を示す再生許可情報を追記マークとして記録しているが、本発明はこれに限定されるものではない。前述のフレーム単位又はセクタ単位で再生許可情報を記録しても同様の効果を得ることができ、複数のクラスタにまたがって再生許可情報を記録してもよい。また、Ｂｌｕ−ｒａｙディスクでは、内周のコントロールデータ領域に、制御情報が半径方向に離散した５箇所に冗長的に記録されているが、これらに同期させて利用権利情報も５箇所に分散して記録してもよい。この場合、ディスクの傷、埃又は指紋などのディフェクトに対する耐性を向上させることができる。しかし、この場合には、ユーザのコンテンツ情報の利用に対して、５箇所の利用権利情報を消去することが必要である。
【００８５】
次に、本発明の一実施の形態に係る光ディスクを用いて、光ディスクに記録されているコンテンツ情報の再生回数を制限する光ディスク再生装置について説明する。図４は、コンテンツ情報の利用回数制限に用いる本実施の形態に係る光ディスク再生装置の構成を示すブロック図である。
【００８６】
図４に示す光ディスク再生装置３００は、光学ヘッド３０１、アナログ信号処理部３０２、デジタル信号処理部３０３、フォーマッタ３０４、エラー訂正部３０５、ＬＰＦ（ローパスフィルタ）３０６、副情報検出部３０７、副情報エラー訂正部３０８、再生可能回数判定部３０９、スイッチ３１０、再生データ転送部３１１、レーザパワー制御部３１２、サーボ３１３、システムコントローラ３１４及びスピンドルモータ３１５で構成される。
【００８７】
光学ヘッド３０１は、光ディスク３にレーザ光を照射し、その反射光強度からコンテンツ情報又は光ディスク３のコントロールデータ領域に記録されている管理情報の記録されている凹凸記録マークを検出し、反射光強度に応じたチャネル信号を生成してアナログ信号処理部３０２に出力する。
【００８８】
アナログ信号処理部３０２は、光学ヘッド３０１から入力されるチャネル信号を増幅したり、波形等化したりすることによって整形して、アナログ再生信号を生成し、デジタル信号処理部３０３及びＬＰＦ３０６に出力する。
【００８９】
デジタル信号処理部３０３は、アナログ信号処理部３０２から入力されるアナログ再生信号をＡＤコンバータによって量子化し、再生信号の中心位置制御を行うと共に、凹凸記録マーク帯域の信号を抽出した後、ＰＬＬ（Ｐｈａｓｅ  Ｌｏｃｋｅｄ  Ｌｏｏｐ）回路によって凹凸記録マークの再生信号に同期したクロック信号を生成する。そして、デジタル信号処理部３０３は、量子化した再生信号を、中心位置制御で抽出した中心位置でクロック信号に同期して２値化することでデジタル再生信号を生成し、フォーマッタ３０４に出力する。
【００９０】
フォーマッタ３０４は、デジタル信号処理部３０３から入力されるデジタル再生信号の一定間隔ごとに付与されている同期パターンを検出し、同期パターンで区切られる領域をフレームとして分離すると共に、同期パターンの種類に応じてフレーム位置を特定して複数のフレームからなるセクタを分離する。また、フォーマッタ３０４は、セクタ毎に付与されているアドレス情報を抽出して、複数のセクタからなるクラスタに分離する。抽出されたクラスタ単位の再生データは、訂正前再生データとしてエラー訂正部３０５に出力される。
【００９１】
エラー訂正部３０５は、フォーマッタ３０４から入力されるエラー訂正符号化されたクラスタごとの訂正前再生データのエラー訂正を行うことで再生データを抽出し、スイッチ３１０に出力する。
【００９２】
ＬＰＦ３０６は、アナログ信号処理部３０２から入力されるアナログ再生信号から、凹凸記録マークの信号帯域ではなく、凹凸記録マーク上の反射膜の反射率を変化させることによって記録された追記マークの信号帯域を抽出する低域通過フィルタで構成される。追記マークは、凹凸記録マークの最長記録マークの長さの３倍以上の長さで光ディスク３に記録される。従って、凹凸記録マークの信号成分を排除して、追記マークの信号成分のみをＬＰＦ３０６で抽出することが可能である。一方、デジタル信号処理部３０３には、凹凸記録マークの信号成分のみを抽出するバンドパスフィルタが実装されるので、追記マークの信号帯域は減衰される。
【００９３】
また、ＬＰＦ３０６のカットオフ周波数は、デジタル信号処理部３０３で再生信号の中心位置制御が行われる、中心位置制御の追従帯域よりも早い周波数帯域に設定される。これによって、追記マークの信号成分を安定して検出することができる。また、光ディスク３の反射膜はレーザ照射によって反射率が向上する、一般的にライトワンスメディアで使用される色素膜が用いられている。よって、追記マークが記録された領域は、記録されていない領域に対して反射率が高く検出される。ＬＰＦ３０６は、追記マークによって反射率の高くなっている領域を抽出するフィルタである。追記マークの信号成分を抽出した信号は、副情報帯域信号として副情報検出部３０７に出力される。
【００９４】
このように、ＬＰＦ３０６は、再生信号の凹凸記録マークに対応する信号帯域成分を減衰させるとともに、信号帯域成分より低い周波数帯域の信号帯域成分、すなわち追記マークに対応する信号帯域成分を抽出する。
【００９５】
フォーマッタ３０４は、検出したクラスタの先頭位置、セクタの先頭位置又はセクタに付与されているアドレス情報と、フレーム単位で検出した同期パターンの検出タイミングと、副情報が１ビット記録されている区間信号とをタイミング信号として副情報検出部３０７へ出力する。
【００９６】
副情報検出部３０７は、フォーマッタ３０４から入力されるタイミング信号に同期して、区間信号の示す区間ごとにＬＰＦ３０６から入力される副情報帯域信号を積分して副情報を１ビットずつ検出する。副情報検出部３０７は、副情報を１ビットずつ検出する処理を、副情報が記録されている領域、すなわち追記マークが形成されている領域で繰り返して行うことで、副情報の全ビットを検出し、訂正前副情報として、副情報エラー訂正部３０８に出力する。
【００９７】
副情報エラー訂正部３０８は、副情報検出部３０７から入力されるエラー訂正符号化された訂正前副情報のエラー訂正を行い、副情報として光ディスク３に記録されているコンテンツ情報の再生可能回数情報（利用権利情報）を抽出して、再生可能回数判定部３０９に出力する。
【００９８】
再生可能回数判定部３０９は、副情報エラー訂正部３０８から副情報として入力されるコンテンツ情報の再生可能回数情報に基づいて、１回以上のコンテンツ情報の再生が可能であるか否かを判定する。１回以上のコンテンツ情報の再生が可能であると判定した場合、再生可能回数判定部３０９は、コンテンツ情報の再生を許可する再生許可信号をスイッチ３１０に出力する。一方、再生可能回数が０の場合、副情報エラー訂正部３０８によって副情報のエラー訂正が失敗した場合、あるいは、追記マークにより記録される副情報が検出されなかった場合、再生可能回数判定部３０９は、再生許可信号を出力しない。
【００９９】
スイッチ３１０は、再生可能回数判定部３０９から再生許可信号が出力されている期間は、エラー訂正部３０５から出力される再生データを再生データ転送部３１１に出力する。再生可能回数判定部３０９から出力される再生許可信号は、再生可能回数が１以上であると判定された時点から、光ディスク再生装置３００の電源がオフされるまで、光ディスク再生装置３００がリセットされるまで、あるいは光ディスク３が光ディスク再生装置３００から排出されるまでの間、継続して出力される。
【０１００】
再生データ転送部３１１は、画像／音声処理装置３１６へのインターフェースであり、エラー訂正部３０５から入力される再生データにパリティなどを付けて画像／音声処理装置３１６へ出力する。なお、再生データ転送部３１１は、エラー訂正部３０５から入力された再生データが光ディスク３のユーザ領域に記録されているコンテンツ情報である場合には、再生データを画像／音声処理装置３１６に送出する。また、再生データが光ディスク３のコントロールデータ領域に記録されている管理情報である場合には、データの送出は行われず、読み出した管理情報に基づいて、光ディスク３からコンテンツ情報の再生が行われる。
【０１０１】
画像／音声処理装置３１６は、再生データ転送部３１１から入力される再生データから映像情報及び音声情報を復元して、表示装置及びスピーカに出力することによって、光ディスク３に記録されているコンテンツ情報を再生する。
【０１０２】
サーボ３１３は、半径位置に従って回転数を微調整するための回転制御信号を生成してスピンドルモータ３１５に出力する。スピンドルモータ３１５は、サーボ３１３から入力される回転制御信号に従って光ディスク３の回転数を微調整する。
【０１０３】
システムコントローラ３１４は、光ディスク再生装置３００の各ブロックを制御する。システムコントローラ３１４は、コンテンツ情報の再生が終了した場合、光学ヘッド３０１及びフォーマッタ３０４に対して、再生可能回数情報を更新するための更新命令を出力する。
【０１０４】
光学ヘッド３０１は、システムコントローラ３１４から再生可能回数情報の更新命令を受信すると、追記マークとして再生可能回数情報が記録されている光ディスク３の内周側のコントロールデータ領域にレーザ照射位置を移動させる。
【０１０５】
フォーマッタ３０４は、システムコントローラ３１４から再生可能回数情報の更新命令を受信すると、デジタル再生信号から、再生可能回数情報が追記マークとして記録されている最初のクラスタの区間を示すタイミング信号を生成して、レーザパワー制御部３１２に出力する。
【０１０６】
レーザパワー制御部３１２は、フォーマッタ３０４から入力されるタイミング信号の示す区間のみ、光ディスク３に照射するレーザ強度を通常の再生レーザ強度より高く設定するためのレーザ制御信号を光学ヘッド３０１に出力する。
【０１０７】
光学ヘッド３０１は、レーザパワー制御部３１２から入力されるレーザ制御信号に応じて、通常の再生レーザ強度より高いレーザ強度で光ディスク３にレーザ光を照射する。このレーザ強度は、光ディスク３の追記マークの反射率を変化させるために十分な強度で、通常の再生レーザ強度の５倍以上が望ましい。
【０１０８】
このように、光学ヘッド３０１は、主情報を記録するための凹凸記録マークが形成されるとともに、凹凸記録マーク上の反射膜の反射率を変化させることによって副情報を記録するための追記マークが形成された光ディスク３へレーザ光を照射する。アナログ信号処理部３０２は、光ディスク３からの反射光に基づいて再生信号を生成する。フォーマッタ３０４は、アナログ信号処理部３０２によって生成された再生信号に同期したクロック信号（タイミング信号）を抽出する。エラー訂正部３０５は、フォーマッタ３０４によって抽出されたクロック信号に同期して、アナログ信号処理部３０２によって生成された再生信号の凹凸記録マークに対応した信号帯域成分から主情報を再生する。
【０１０９】
ＬＰＦ３０６は、アナログ信号処理部３０２によって生成された再生信号から、追記マークに対応する信号帯域成分を抽出する。副情報検出部３０７は、フォーマッタ３０４によって抽出されたクロック信号に同期して、ＬＰＦ３０６によって抽出された信号帯域成分から副情報を検出する。副情報エラー訂正部３０８は、副情報検出部３０７によって検出された副情報から、コンテンツ情報を利用する権利に関する利用権利情報を生成する。
【０１１０】
システムコントローラ３１４は、ユーザによるコンテンツ情報に対する操作を受け付ける。なお、ユーザは、不図示の入力装置を介してコンテンツ情報に対する操作を行う。入力装置は、例えば、リモートコントローラ、キーボード及びマウスなどで構成され、コンテンツ情報の再生操作及び停止操作などが行われる。システムコントローラ３１４は、入力装置からの再生操作指示及び停止操作指示を受け付ける。
【０１１１】
再生可能回数判定部３０９は、副情報エラー訂正部３０８によって生成された利用権利情報に基づいて、システムコントローラ３１４によって受け付けられた操作が可能であるか否かを判定する。光学ヘッド３０１は、再生可能回数判定部３０９によって操作が可能であると判定された場合、光ディスクに一定強度以上のレーザ光を照射し、主情報を再生するとともに、副情報を消去する。
【０１１２】
また、利用権利情報は、コンテンツ情報の再生が許可されている回数を表す再生可能回数情報を含み、再生可能回数情報は、主情報の所定記録単位ごとに記録され、コンテンツ情報の単位再生可能回数を表す再生許可情報を含む。そして、副情報検出部３０７は、主情報の所定記録単位ごとに記録されている再生許可情報を副情報として検出する。光学ヘッド３０１は、コンテンツ情報の単位再生可能回数の再生完了後に、所定記録単位の領域の再生許可情報を消去する。
【０１１３】
以上のようにすれば、光学ヘッド３０１によって、通常の再生レーザ強度より高いレーザ強度でレーザ光が照射された領域は、反射膜の反射率が均等となって、追記マークが消去される。従って、追記マークで記録された再生可能回数情報が更新されることになる。本実施の形態では、光ディスク内周部のコントロールデータ領域に、クラスタごとに１回だけ再生を許可する再生許可情報が記録されている。そのため、１クラスタ分の追記マークを消去することによって、コンテンツ情報を再生することが可能な総再生可能回数から１回分の再生可能回数を減算するという再生可能回数情報の更新を行うことができる。
【０１１４】
また、通常の再生レーザ強度より高いレーザ強度でレーザ光を照射して追記マークを消去した領域は、全体的に反射率が高くなるだけなので、中心位置制御の効果で、凹凸記録マークで記録されている管理情報及びコンテンツ情報の再生には影響を及ぼさない。
【０１１５】
（利用時間制限）
次に、本発明の一実施の形態に係る光ディスクを用いて、光ディスクに記録されたコンテンツ情報の再生時間を制限する方法について説明する。
【０１１６】
図５は、利用権利情報として再生可能時間情報を記録した光ディスクについて説明するための概念図である。
【０１１７】
図５に示す光ディスク４は、光ディスクの内周側のコントロールデータ領域４１に、光ディスクを再生するための管理情報と、光ディスクに記録されたコンテンツ情報の再生時間に関した利用権利情報とを記録している。管理情報は、凹凸記録マークにより記録されている。利用権利情報は、凹凸記録マーク上にレーザ光を照射することで反射膜の反射率を変化させた追記マークにより記録されている。
【０１１８】
光ディスク４のコントロールデータ領域４１に凹凸記録マークで記録されている管理情報は、情報を再生するために同期符号により区切られたデータ単位であるフレーム、複数のフレームからなりアドレス情報により区切られたデータ単位であるセクタ、及び、複数のセクタからなりエラー訂正符号化されたデータ単位であるクラスタのようなフォーマットで記録される。
【０１１９】
光ディスク４のコントロールデータ領域４１の凹凸記録マーク上の反射膜の反射率を変化させて記録されている利用権利情報は、凹凸記録マークのデータ構造、すなわちフレーム、セクタ又はクラスタに同期して記録されている。本実施の形態では、クラスタ単位に１０分間の再生許可を示す利用権利情報が記録されている。したがって、再生可能時間情報は、再生時間に応じた複数の再生許可情報を含み、１つのクラスタに１０分間の再生を許可する再生許可情報が記録されている。例えば、コンテンツ情報の再生を３０分間だけ許可する場合、光ディスク４には、３つの再生許可情報が再生可能時間情報として記録されることとなる。
【０１２０】
ユーザが、コンテンツ情報を１０分間再生すれば、利用権利情報の記録された先頭の１クラスタに記録強度のレーザ光が照射され、１クラスタ内の反射膜の反射率を変化させて、追記マークが消去される。これにより、１０分間の再生許可情報が削除される。
【０１２１】
本実施の形態では、利用権利情報は、コンテンツ情報の再生を所定時間だけ許可する再生許可情報を、コンテンツ情報の再生を許可する時間に応じた数だけ含んでいる。そして、コンテンツ情報が所定時間再生される毎に再生許可情報が１つずつ削除される。
【０１２２】
以上説明したように、本実施の形態に係る光ディスクは、凹凸記録マークのデータ構造に同期して、反射膜の反射率を変化させて追記マークを形成することによって、追記マークを再生するための新たな同期符号等が不要であり、凹凸記録マークの再生時に、凹凸記録マークのデータ構造に応じて、追記マークの再生も行うことができる。
【０１２３】
また、コンテンツ情報が１０分間再生されるごとに、追記マークとして記録されている利用権利情報である１０分間の再生を許可する再生許可情報が消去されて、利用権利情報が更新される。これにより、コンテンツ情報の再生時間を管理できる光ディスクを実現することが可能となる。
【０１２４】
次に、本発明の一実施の形態に係る光ディスクを用いて、光ディスクに記録されているコンテンツ情報の再生時間を制限する光ディスク再生装置について説明する。図６は、コンテンツ情報の利用時間制限に用いる本実施の形態に係る光ディスク再生装置の構成を示すブロック図である。
【０１２５】
図６に示す光ディスク再生装置５００は、光学ヘッド５０１、アナログ信号処理部５０２、デジタル信号処理部５０３、フォーマッタ５０４、エラー訂正部５０５、再生時間検出部５０６、ＬＰＦ５０７、副情報検出部５０８、副情報エラー訂正部５０９、再生可能時間判定部５１０、スイッチ５１１、再生データ転送部５１２、レーザパワー制御部５１３、サーボ５１４、システムコントローラ５１５及びスピンドルモータ５１６で構成される。
【０１２６】
光学ヘッド５０１は、光ディスク５にレーザ光を照射し、その反射光強度からコンテンツ情報又は光ディスク５のコントロールデータ領域に記録されている管理情報の記録されている凹凸記録マークを検出し、反射光強度に応じたチャネル信号を生成してアナログ信号処理部５０２に出力する。
【０１２７】
アナログ信号処理部５０２は、光学ヘッド５０１から入力されるチャネル信号を増幅したり、波形等化したりすることによって整形して、アナログ再生信号を生成し、デジタル信号処理部５０３及びＬＰＦ５０７に出力する。
【０１２８】
デジタル信号処理部５０３は、アナログ信号処理部５０２から入力されるアナログ再生信号をＡＤコンバータによって量子化し、再生信号の中心位置制御を行うと共に、凹凸記録マーク帯域の信号を抽出した後、ＰＬＬ回路によって凹凸記録マークの再生信号に同期したクロック信号を生成する。そして、デジタル信号処理部５０３は、量子化した再生信号を、中心位置制御で抽出した中心位置でクロック信号に同期して２値化することでデジタル再生信号を生成し、フォーマッタ５０４に出力する。
【０１２９】
フォーマッタ５０４は、デジタル信号処理部５０３から入力されるデジタル再生信号の一定間隔ごとに付与されている同期パターンを検出し、同期パターンで区切られる領域をフレームとして分離すると共に、同期パターンの種類に応じてフレーム位置を特定して複数のフレームからなるセクタを分離する。また、フォーマッタ５０４は、セクタ毎に付与されているアドレス情報を抽出して、複数のセクタからなるクラスタに分離する。抽出されたクラスタ単位の再生データは、訂正前再生データとしてエラー訂正部５０５に出力される。
【０１３０】
エラー訂正部５０５は、フォーマッタ５０４から入力されるエラー訂正符号化されたクラスタごとの訂正前再生データのエラー訂正を行うことで再生データを抽出し、再生時間検出部５０６に出力する。
【０１３１】
再生時間検出部５０６は、コンテンツ情報が再生された再生時間を検出する。具体的に、再生時間を検出する際に、再生時間検出部５０６は、エラー訂正部５０５から再生データが出力されている時間を計測する。あるいは、再生時間検出部５０６は、フォーマッタ５０４において分離されたクラスタ数をカウントして、再生データとして抽出されたクラスタ数分の時間を算出する。あるいは、再生時間検出部５０６は、再生データから、再生開始位置（時間）及び再生終了位置（時間）を表す再生位置（時間）情報を抽出して、再生時間を算出する。また、再生時間検出部５０６は、コンテンツ情報が１０分間再生されるごとに時間経過信号を生成して再生可能時間判定部５１０に出力する。また、再生時間検出部５０６は、再生データをスイッチ５１１に出力する。
【０１３２】
ＬＰＦ５０７は、アナログ信号処理部５０２から入力されるアナログ再生信号から、凹凸記録マークの信号帯域ではなく、凹凸記録マーク上の反射膜の反射率を変化させることによって記録された追記マークの信号帯域を抽出する低域通過フィルタで構成される。追記マークは、凹凸記録マークの最長記録マークの長さの３倍以上の長さで光ディスク５に記録される。従って、凹凸記録マークの信号成分を排除して、追記マークの信号成分のみをＬＰＦ５０７で抽出することが可能である。一方、デジタル信号処理部５０３には、凹凸記録マークの信号成分のみを抽出するバンドパスフィルタが実装されるので、追記マークの信号帯域は減衰される。
【０１３３】
また、ＬＰＦ５０７のカットオフ周波数は、デジタル信号処理部５０３で再生信号の中心位置制御が行われる、中心位置制御の追従帯域よりも早い周波数帯域に設定される。これによって、追記マークの信号成分を安定して検出することができる。また、光ディスク５の反射膜はレーザ照射によって反射率が向上する、一般的にライトワンスメディアで使用される色素膜が用いられている。よって、追記マークが記録された領域は、記録されていない領域に対して反射率が高く検出される。ＬＰＦ５０７は、追記マークによって反射率の高くなっている領域を抽出するフィルタである。追記マークの信号成分を抽出した信号は、副情報帯域信号として副情報検出部５０８に出力される。
【０１３４】
フォーマッタ５０４は、検出したクラスタの先頭位置、セクタの先頭位置又はセクタに付与されているアドレス情報と、フレーム単位で検出した同期パターンの検出タイミングと、副情報が１ビット記録されている区間信号とをタイミング信号として副情報検出部５０８へ出力する。副情報検出部５０８は、フォーマッタ５０４から入力されるタイミング信号に同期して、区間信号の示す区間ごとにＬＰＦ５０７から入力される副情報帯域信号を積分して副情報を１ビットずつ検出する。副情報検出部５０８は、副情報を１ビットずつ検出する処理を、副情報が記録されている領域、すなわち追記マークが形成されている領域で繰り返して行うことで、副情報の全ビットを検出し、訂正前副情報として、副情報エラー訂正部５０９に出力する。
【０１３５】
副情報エラー訂正部５０９は、副情報検出部５０８から入力されるエラー訂正符号化された訂正前副情報のエラー訂正を行い、副情報として光ディスク５に記録されているコンテンツ情報の再生可能時間情報（利用権利情報）を抽出して、再生可能時間判定部５１０に出力する。
【０１３６】
再生可能時間判定部５１０は、内部にメモリを有し、光ディスク５に副情報として追記マークにより記録されている再生可能時間情報をメモリに記憶するとともに、再生時間検出部５０６からの時間経過信号に従って、再生可能時間情報に含まれる１０分間の再生を許可する再生許可情報をメモリから消去する。再生可能時間判定部５１０は、副情報エラー訂正部５０９から副情報として入力されるコンテンツ情報の再生可能時間情報に基づいて、所定時間、すなわち１０分間以上のコンテンツ情報の再生が可能であるか否かを判定する。メモリに再生可能時間情報が存在しており、１０分間以上のコンテンツ情報の再生が可能であると判定した場合、再生可能時間判定部５１０は、コンテンツ情報の再生を許可する再生許可信号をスイッチ５１１に出力する。一方、メモリに再生可能時間情報が存在しておらず、１０分間以上のコンテンツ情報の再生が不可能であると判定した場合、副情報エラー訂正部５０９によって副情報のエラー訂正が失敗した場合、あるいは、追記マークにより記録される副情報が検出されなかった場合、再生可能時間判定部５１０は、再生許可信号を出力しない。
【０１３７】
スイッチ５１１は、再生可能時間判定部５１０から再生許可信号が出力されている期間は、再生時間検出部５０６によって再生時間の検出された再生データを再生データ転送部５１２に出力し続ける。スイッチ５１１は、光ディスク５が光ディスク再生装置５００から排出された場合、光ディスク再生装置５００がリセットされた場合、あるいは光ディスク再生装置５００の電源がオフされた場合、再生データの出力を禁止する。
【０１３８】
再生データ転送部５１２は、画像／音声処理装置５１７へのインターフェースであり、再生時間検出部５０６から入力される再生データにパリティなどを付けて画像／音声処理装置５１７へ出力する。なお、再生データ転送部５１２は、再生時間検出部５０６から入力された再生データが光ディスク５のユーザ領域に記録されているコンテンツ情報である場合には、再生データを画像／音声処理装置５１７に送出する。また、再生データが光ディスク５のコントロールデータ領域に記録されている管理情報である場合には、データの送出は行われず、読み出した管理情報に基づいて、光ディスク５からコンテンツ情報の再生が行われる。
【０１３９】
画像／音声処理装置５１７は、入力される再生データから映像情報及び音声情報を復元して、表示装置及びスピーカに出力することによって、光ディスク５に記録されているコンテンツ情報を再生する。
【０１４０】
サーボ５１４は、半径位置に従って回転数を微調整するための回転制御信号を生成してスピンドルモータ５１６に出力する。スピンドルモータ５１６は、サーボ５１４から入力される回転制御信号に従って光ディスク５の回転数を微調整する。
【０１４１】
システムコントローラ５１５は、光ディスク再生装置５００の各ブロックを制御する。システムコントローラ５１５は、コンテンツ情報が１０分間再生されたことが再生時間検出部５０６によって検知された場合、光学ヘッド５０１及びフォーマッタ５０４に対して、再生可能時間情報を更新するための更新命令を出力する。
【０１４２】
光学ヘッド５０１は、システムコントローラ５１５から再生可能時間情報の更新命令を受信すると、追記マークとして再生可能時間情報が記録されている光ディスク５の内周側のコントロールデータ領域にレーザ照射位置を移動させる。
【０１４３】
フォーマッタ５０４は、システムコントローラ５１５から再生可能時間情報の更新命令を受信すると、デジタル再生信号から、再生可能時間情報が追記マークとして記録されている最初のクラスタの区間を示すタイミング信号を生成して、レーザパワー制御部５１３に出力する。
【０１４４】
レーザパワー制御部５１３は、フォーマッタ５０４から入力されるタイミング信号の示す区間のみ、光ディスク５に照射するレーザ強度を通常の再生レーザ強度より高く設定するためのレーザ制御信号を光学ヘッド５０１に出力する。
【０１４５】
光学ヘッド５０１は、レーザパワー制御部５１３から入力されるレーザ制御信号に応じて、通常の再生レーザ強度より高いレーザ強度で光ディスク５にレーザ光を照射する。このレーザ強度は、光ディスク５の追記マークの反射率を変化させるために十分な強度で、通常の再生レーザ強度の５倍以上が望ましい。
【０１４６】
このように、利用権利情報は、コンテンツ情報の再生が許可されている時間を表す再生可能時間情報を含み、再生可能時間情報は、主情報の所定記録単位ごとに記録され、コンテンツ情報の単位再生可能時間を表す再生許可情報を含む。そして、副情報検出部５０８は、主情報の所定記録単位ごとに記録されている再生許可情報を副情報として検出する。光学ヘッド５０１は、コンテンツ情報の単位再生可能時間の再生完了後に、所定記録単位の領域の再生許可情報を消去する。
【０１４７】
以上のようにすれば、光学ヘッド５０１によって、通常の再生レーザ強度より高いレーザ強度でレーザ光が照射された領域は、反射膜の反射率が均等となって、追記マークが消去される。従って、追記マークで記録された再生可能時間情報が更新されることになる。本実施の形態では、光ディスク内周部のコントロールデータ領域に、クラスタごとに１０分間だけ再生を許可する再生許可情報が記録されている。そのため、１クラスタ分の追記マークを消去することによって、コンテンツ情報を再生することが可能な総再生可能時間から１０分間分の再生可能時間を減算するという再生可能時間情報の更新を行うことができる。
【０１４８】
また、通常の再生レーザ強度より高いレーザ強度でレーザ光を照射して追記マークを消去した領域は、全体的に反射率が高くなるだけなので、中心位置制御の効果で、凹凸記録マークで記録されている管理情報及びコンテンツ情報の再生には影響を及ぼさない。
【０１４９】
（プリペイド式課金制御）
次に、本発明の一実施の形態に係る光ディスクを用いて、光ディスクに記録されるコンテンツ情報の利用料金の課金を制御する方法について説明する。
【０１５０】
図７は、利用権利情報としてプリペイド金額情報を記録した光ディスクについて説明するための概念図である。
【０１５１】
図７に示す光ディスク６は、光ディスクの内周側のコントロールデータ領域６１に、光ディスクを再生するための管理情報と、光ディスクに記録されるコンテンツ情報の利用料金の課金に関した利用権利情報とを記録している。管理情報は、凹凸記録マークにより記録されている。利用権利情報は、凹凸記録マーク上にレーザ光を照射することで反射膜の反射率を変化させた追記マークにより記録されている。
【０１５２】
光ディスク６のコントロールデータ領域６１に凹凸記録マークで記録されている管理情報は、情報を再生するために同期符号により区切られたデータ単位であるフレーム、複数のフレームからなりアドレス情報により区切られたデータ単位であるセクタ、及び、複数のセクタからなりエラー訂正符号化されたデータ単位であるクラスタのようなフォーマットで記録される。
【０１５３】
光ディスク６のコントロールデータ領域６１の凹凸記録マーク上の反射膜の反射率を変化させて記録されている利用権利情報は、凹凸記録マークのデータ構造、すなわちフレーム、セクタ又はクラスタに同期して記録されている。本実施の形態では、クラスタ単位に１００円分の金額を示す利用権利情報が記録されている。したがって、利用権利情報は、利用可能金額に応じた複数のプリペイド金額情報を含み、１つのクラスタに１００円分のプリペイド金額情報が記録されている。例えば、５００円分のコンテンツ情報の利用を許可する場合、光ディスク６には、５つのプリペイド金額情報が利用権利情報として記録されることとなる。
【０１５４】
ユーザが、コンテンツ情報を購入（ダウンロード）すれば、購入したコンテンツ情報の課金情報に基づいて、利用権利情報の記録された所定数のクラスタに記録強度のレーザ光が照射され、所定数のクラスタ内の反射膜の反射率を変化させて、追記マークが消去される。これにより、プリペイド金額情報が削除される。図７では、ユーザが１００円分のコンテンツ情報をダウンロードすることによって、予め所定金額分のプリペイド金額情報が記録された状態から、１００円分のプリペイド金額情報が消去された状態を示している。
【０１５５】
本実施の形態では、利用権利情報は、１００円分のプリペイド金額情報を、コンテンツ情報のダウンロードを許可する金額に応じた数だけ含んでいる。そして、コンテンツ情報が１回ダウンロードされる毎に、コンテンツ情報に応じた金額に応じた数のプリペイド金額情報が削除される。
【０１５６】
以上説明したように、本実施の形態に係る光ディスクは、凹凸記録マークのデータ構造に同期して、反射膜の反射率を変化させて追記マークを形成することによって、追記マークを再生するための新たな同期符号等が不要であり、凹凸記録マークの再生時に、凹凸記録マークのデータ構造に応じて、追記マークの再生も行うことができる。
【０１５７】
また、コンテンツ情報の購入ごとに、追記マークとして記録されている利用権利情報であるプリペイド金額情報が、購入したコンテンツ情報の課金情報に応じて消去され、利用権利情報が更新される。したがって、クレジットカード又はプリペイドカードなどを用いることなく、光ディスク６のみを用いて安全にコンテンツ情報の購入に対する課金処理を行うことができる。
【０１５８】
次に、本発明の一実施の形態に係る光ディスクを用いて、光ディスクに記録されるコンテンツ情報の利用料の課金を行う光ディスク再生装置について説明する。図８は、コンテンツ情報の課金制御に用いる本実施の形態に係る光ディスク記録再生装置の構成を示すブロック図である。
【０１５９】
図８に示す光ディスク記録再生装置７００は、光学ヘッド７０１、アナログ信号処理部７０２、デジタル信号処理部７０３、フォーマッタ７０４、エラー訂正部７０５、ＬＰＦ７０７、副情報検出部７０８、副情報エラー訂正部７０９、プリペイド情報メモリ７１０、課金情報メモリ７１２、システムコントローラ７１３、エラー訂正符号化部７１５、変調部７１６、記録光変調部７１７、レーザパワー制御部７１８、サーボ７１９及びスピンドルモータ７２０で構成される。
【０１６０】
また、光ディスク記録再生装置７００は通信部７２１に接続されており、通信部７２１は、再生データ転送部７０６、課金情報受信部７１１及びコンテンツ受信部７１４で構成される。
【０１６１】
光学ヘッド７０１は、凹凸記録マークによる管理情報と、凹凸記録マーク上の反射膜の反射率を変化させた追記マークによる利用権利情報とが記録されている、光ディスク７の内周側のコントロールデータ領域に、レーザ光を照射する位置を移動させた後、光ディスク７にレーザ光を照射し、レーザ光の照射に伴う反射光の強弱に応じたチャネル信号を生成してアナログ信号処理部７０２に出力する。
【０１６２】
アナログ信号処理部７０２は、光学ヘッド７０１から入力されるチャネル信号を増幅したり、波形等化したりすることによって整形して、アナログ再生信号を生成し、デジタル信号処理部７０３及びＬＰＦ７０７に出力する。
【０１６３】
デジタル信号処理部７０３は、アナログ信号処理部７０２から入力されるアナログ再生信号をＡＤコンバータによって量子化し、再生信号の中心位置制御を行うと共に、凹凸記録マーク帯域の信号を抽出した後、ＰＬＬ回路によって凹凸記録マークの再生信号に同期したクロック信号を生成する。また、デジタル信号処理部７０３は、量子化した再生信号を、中心位置制御で抽出した中心位置でクロック信号に同期して２値化することでデジタル再生信号を生成し、フォーマッタ７０４に出力する。
【０１６４】
フォーマッタ７０４は、デジタル信号処理部７０３から入力されるデジタル再生信号の一定間隔ごとに付与されている同期パターンを検出し、同期パターンで区切られる領域をフレームとして分離すると共に、同期パターンの種類に応じてフレーム位置を特定して複数のフレームからなるセクタを分離する。また、フォーマッタ７０４は、セクタ毎に付与されているアドレス情報を抽出して、複数のセクタからなるクラスタに分離する。抽出されたクラスタ単位の再生データは、訂正前再生データとしてエラー訂正部７０５に出力する。
【０１６５】
エラー訂正部７０５は、フォーマッタ７０４から入力されるエラー訂正符号化されたクラスタごとの訂正前再生データのエラー訂正を行うことで再生データを抽出し、再生データ転送部７０６に出力する。
【０１６６】
再生データ転送部７０６は、画像／音声処理装置７２２へのインターフェースであり、エラー訂正部７０５から入力される再生データにパリティなどを付けて画像／音声処理装置７２２へ出力する。なお、再生データ転送部７０６は、エラー訂正部７０５から入力された再生データが光ディスク７のユーザ領域に記録されているコンテンツ情報である場合には、再生データを画像／音声処理装置７２２に送出する。また、再生データが光ディスク７のコントロールデータ領域に記録されている管理情報である場合には、データの送出は行われず、読み出した管理情報に基づいて、光ディスク７からコンテンツ情報の再生が行われる。
【０１６７】
画像／音声処理装置７２２は、再生データ転送部７０６から入力される再生データから映像情報及び音声情報を復元して、表示装置及びスピーカに出力することによって、光ディスク７に記録されているコンテンツ情報を再生する。
【０１６８】
ＬＰＦ７０７は、アナログ信号処理部７０２から入力されるアナログ再生信号から、光ディスク７の凹凸記録マークの再生帯域信号成分ではなく、凹凸記録マーク上の反射膜の反射率を変化させることによって記録された追記マークの再生帯域信号成分を抽出する低域通過フィルタで構成される。追記マークは、凹凸記録マークの信号帯域と分離できるように、凹凸記録マークの記録帯域から離れた帯域で記録される。したがって、追記マーク長は、変調された凹凸記録マークの最長記録マーク長の３倍程度が好ましい。
【０１６９】
また、デジタル信号処理部７０３では、アナログ再生信号の中心位置制御が行われるため、反射膜の反射率を変化させた追記マークが長すぎても、反射率の変化した部分に再生信号の中心位置が追従してしまい、正しく追記マークが検出できない。そこで、追記マークは、再生信号の中心位置制御の追従帯域よりも高い周波数帯域で記録される。よって、ＬＰＦ７０７のカットオフ周波数は、凹凸記録マークの最大マーク／スペースで規定される周波数帯域よりも遅く、光ディスク記録再生装置の中心位置制御の追従帯域よりも早い周波数帯域に設定されることが必要である。
【０１７０】
フォーマッタ７０４は、検出したクラスタの先頭位置、セクタの先頭位置又はセクタに付与されているアドレス情報と、フレーム単位で検出した同期パターンの検出タイミングと、副情報が１ビット記録されている区間信号とをタイミング信号として副情報検出部７０８へ出力する。副情報検出部７０８は、フォーマッタ７０４から入力されるタイミング信号に同期して、区間信号の示す区間ごとにＬＰＦ７０７から入力される副情報帯域信号を積分して副情報を１ビットずつ検出する。副情報検出部７０８は、副情報を１ビットずつ検出する処理を、副情報が記録されている領域、すなわち追記マークが形成されている領域で繰り返して行うことで、副情報の全ビットを検出し、訂正前副情報として、副情報エラー訂正部７０９に出力する。
【０１７１】
副情報エラー訂正部７０９は、副情報検出部７０８から入力されるエラー訂正符号化された訂正前副情報のエラー訂正を行い、副情報として光ディスク７に記録されているコンテンツ情報の利用可能な金額を表すプリペイド金額情報（利用権利情報）を抽出して、プリペイド情報メモリ７１０に出力する。
【０１７２】
プリペイド情報メモリ７１０は、一般的な揮発性メモリで構成され、副情報エラー訂正部７０９から入力されるプリペイド金額情報を一次記憶する。
【０１７３】
以上のように、光ディスク７のコントロールデータ領域に凹凸記録マークとして記録されている管理情報を読み出すタイミングと同時に、凹凸記録マーク上の反射膜の反射率を変化させることで追記マークとして記録されているプリペイド金額情報を読み出し、プリペイド情報メモリ７１０に一次記憶する。このようにして、光ディスク７の起動処理が完了する。
【０１７４】
光ディスク７の起動処理が完了した後、図示しないユーザインタフェース部を用いて、ユーザによってダウンロードしたいコンテンツ情報が選択される。ユーザのコンテンツ選択処理が完了すると、図示しないＷＥＢサーバから、ユーザが選択したコンテンツ情報の課金情報がネットワークを介して通知される。なお、課金情報は、ユーザによって選択されたコンテンツ情報の値段を含む。
【０１７５】
課金情報受信部７１１は、ＷＥＢサーバから通知された課金情報を受信し、課金情報メモリ７１２に出力する。
【０１７６】
課金情報メモリ７１２は、一般的な揮発性メモリで構成され、課金情報受信部７１１から入力される課金情報を一次記憶する。
【０１７７】
システムコントローラ７１３は、光ディスク７からプリペイド情報メモリ７１０へのプリペイド金額情報の読み出しが完了し、かつ、ＷＥＢサーバから課金情報メモリ７１２への課金情報の受信が完了した場合に、プリペイド情報メモリ７１０に記憶されているプリペイド金額情報の示す金額から課金情報メモリ７１２に記憶されている課金情報の示す金額を減算する。
【０１７８】
システムコントローラ７１３は、プリペイド金額情報から課金情報の示す金額を減算した減算結果が負になるか否かを判断する。ここで、減算結果が負になると判断された場合、システムコントローラ７１３は、課金不能として、コンテンツ情報のダウンロードを行う前に、エラーを出力して処理を中断する。一方、減算結果が負にならない（正になる）と判断された場合、システムコントローラ７１３は、ユーザが選択したコンテンツ情報に対する課金が可能であるとして、減算結果にプリペイド情報メモリ７１０の内容を更新する。
【０１７９】
また、システムコントローラ７１３は、プリペイド情報メモリ７１０の内容を更新した後、通信部７２１を介して、図示しないＷＥＢサーバに、課金が完了したことを示す課金完了識別情報を送信する。コンテンツ受信部７１４は、ユーザの選択したコンテンツ情報のダウンロードを開始する。
【０１８０】
コンテンツ受信部７１４は、ＷＥＢサーバからダウンロードするコンテンツ情報を受信し、受信したコンテンツ情報をエラー訂正符号化部７１５に出力する。
【０１８１】
エラー訂正符号化部７１５は、コンテンツ情報の所定単位ごとにエラー訂正符号化を行い訂正符号化データとして変調部７１６に出力する。エラー訂正符号化部７１５は、エラー訂正部７０５と対になるブロックで、ともに同じエラー訂正符号化方法を用いる。
【０１８２】
変調部７１６は、エラー訂正符号化部７１５から入力される訂正符号化データに対して、変調を行う。変調部７１６は、使用する光ディスク７の物理規格で指定された変調を行う。例えば、ＤＶＤでは、８−１６変調、Ｂｌｕ−ｒａｙディスクでは、１７ＰＰ変調が行われる。変調された訂正符号化データは、変調データとして記録光変調部７１７に出力される。
【０１８３】
記録光変調部７１７は、変調部７１６から入力される変調データに基づいて、記録レーザ光を照射するタイミング信号である光変調信号を生成して、レーザパワー制御部７１８に出力する。光変調信号は、光ディスク７上に安定した凹凸記録マークを形成するための記録補償を行った記録パルスである。
【０１８４】
レーザパワー制御部７１８は、記録光変調部７１７から入力される光変調信号に基づいて、光ディスク７に照射するレーザ光のレーザパワーを制御する記録制御信号を生成する。生成された記録制御信号は、光学ヘッド７０１に出力される。
【０１８５】
光学ヘッド７０１は、レーザパワー制御部７１８から入力される記録制御信号に基づいて、光ディスク７にレーザ光を照射し、光ディスク７のユーザ領域にダウンロードしたコンテンツ情報を記録する。
【０１８６】
以上のように、光ディスク７から読み出したプリペイド金額情報に基づいてコンテンツ情報の利用料金が課金処理された結果、ダウンロードされたコンテンツ情報が光ディスク７のユーザ領域に記録される。
【０１８７】
なお、本実施の形態では、プリペイド金額情報を読み出す光ディスクとコンテンツ情報を記録する記録媒体が同一である場合について説明したが、本発明はこれに限られるものではない。例えば、プリペイド金額情報の読み出しが完了した時点で、光ディスクを入れ替える旨の通知をユーザに対して行い、光ディスクが入れ替えられた後に、当該光ディスクにダウンロードしたコンテンツ情報の記録を行ってもよい。また、光ディスク記録再生装置７００が２つの光ディスクドライブを有している場合、第１の光ディスクからプリペイド金額情報を読み出して、第２の光ディスクにダウンロードしたコンテンツ情報を記録してもよい。さらに、第２の光ディスクは、光ディスクに限らず、例えば、ハードディスク及び半導体メモリでも代用が可能である。
【０１８８】
システムコントローラ７１３は、ダウンロードしたコンテンツ情報の光ディスク７への書き込みが完了すると、プリペイド情報メモリ７１０に記録されている減算後のプリペイド金額情報を基に、追記マークを消去するクラスタ数を算出する。本実施の形態では、１クラスタに１００円分のプリペイド金額情報が記録されているので、５００円の課金では５クラスタ、１０００円の課金では１０クラスタ分のプリペイド金額情報を消去することになる。
【０１８９】
なお、本実施の形態では、１クラスタに１００円分のプリペイド金額情報が記録されているが、本発明はこれに限られない。例えば、クラスタのアドレス値に対して金額のことなるプリペイド金額情報が記録されてもよい。また、クラスタ単位ではなく、アドレスを有するセクタ単位あるいは同期符号により区切られたフレーム単位でプリペイド金額情報が記録されていてもよい。
【０１９０】
次に、システムコントローラ７１３は、算出した消去すべきクラスタ数を含む追記マーク消去命令をフォーマッタ７０４に通知する。
【０１９１】
フォーマッタ７０４は、システムコントローラ７１３から追記マーク消去命令を受信すると、光ディスク７のコントロールデータ領域の管理情報記録領域を再生し、追記マークの記録されている先頭クラスタから、通知されたクラスタ数分の区間を示すタイミング信号を生成して、レーザパワー制御部７１８に出力する。
【０１９２】
レーザパワー制御部７１８は、フォーマッタ７０４から入力されるタイミング信号の出力区間で、光ディスク７の反射膜の反射率を変化させるに十分なレーザパワーを設定して、光ディスク７にレーザ光を照射する。これによって、予め凹凸記録マーク上の反射膜の反射率を変化させて形成されていた追記マークが消去される。本実施の形態では、例えば、５００円の課金に対して５クラスタ分の追記マークが消去される。これによって、光ディスク７に予め記録されているプリペイド金額情報が課金金額分だけ消去され、ダウンロードしたコンテンツ情報に対する安定した課金を行うことができる。
【０１９３】
このように、利用権利情報は、コンテンツ情報を取得する際にユーザに対して行われる課金処理に用いることが可能な金額を表す金額情報を含み、金額情報は、主情報の所定記録単位ごとに記録され、所定単位の金額を表すプリペイド金額情報を含む。副情報検出部７０８は、主情報の所定記録単位ごとに記録されているプリペイド金額情報を副情報として検出する。課金情報受信部７１１は、コンテンツ情報に対して課金される金額を表す課金情報を取得する。システムコントローラ７１３は、副情報検出部７０８によって検出されたプリペイド金額情報で示される金額から、課金情報受信部７１１によって取得された課金情報で示される金額を減算し、減算結果に基づいて副情報を消去する区間を判定する。そして、光学ヘッド７０１は、システムコントローラ７１３によって判定された区間の副情報を消去する。
【０１９４】
以上のように、本実施の形態に係る光ディスク記録再生装置７００は、光ディスク７の起動時に、追記マークとして記録されているプリペイド金額情報を読み出し、ダウンロードしたコンテンツ情報の課金情報から、消去するクラスタ数を算出して、算出したクラスタ数の追記マークを消去することで、光ディスク媒体単一で課金を行うことが可能となる。
【０１９５】
次に、本実施の形態に係る光ディスク記録再生装置７００の動作について説明する。図９は、課金処理前及び課金処理後における本実施の形態に係る光ディスク記録再生装置の動作を示すタイミングチャートである。
【０１９６】
図９に示すタイミングチャート８は、課金処理が行われる前の光ディスク７からのプリペイド金額情報の読み出し動作を示しており、タイミングチャート９は、１００円の課金処理が行われた後の光ディスク７からのプリペイド金額情報の読み出し動作を示している。
【０１９７】
まず、課金処理が行われる前の光ディスクから、プリペイド金額情報を再生するときのタイミングチャート８について説明する。
【０１９８】
光ディスク記録再生装置７００は、光ディスク７の起動時に、光ディスク７の内周側のコントロールデータ領域の管理情報を読み出すと共に、管理情報の凹凸記録マーク上の反射膜の反射率を変化させることによって形成された追記マークからプリペイド金額情報を読み出す。凹凸記録マークにより記録された管理情報８１は、エラー訂正符号化されたクラスタが円周方向に連続的に配置されている。
【０１９９】
また、管理情報８１が記録されている凹凸記録マークのアナログ再生信号８２は、凹凸記録マーク上の反射膜の反射率を変化させて追記マークが形成されているため、追記マークが存在しないので標準の反射率で凹凸記録マークが再生される区間Ｂ１と、追記マークが形成されているので標準の反射率とは異なる反射率で凹凸記録マークが再生される区間Ｂ２とが存在する。
【０２００】
この区間Ｂ１，Ｂ２を拡大すると、区間Ｂ１は、凹凸記録マークＭＫのみが存在し、区間Ｂ２は、追記マークＳＭＫが形成されていることによって凹凸記録マークＭＫの再生信号の反射率が変化する。また、追記マークＳＭＫは、凹凸記録マークＭＫの記録帯域より低い帯域で記録される。よって、追記マーク長は、凹凸記録マークの最長マーク長よりも長い。
【０２０１】
アナログ再生信号８３は、区間Ｂ１の凹凸記録マークＭＫと区間Ｂ２の追記マークＳＭＫとを再生した再生信号である。凹凸記録マークＭＫのみが記録されている区間Ｂ１では、標準の反射率で再生信号が抽出されているのに対して、凹凸記録マークＭＫ上に追記マークＳＭＫが記録されている区間Ｂ２では、凹凸記録マークＭＫのみの区間Ｂ１の反射率よりも高い反射率で再生信号が抽出されている。
【０２０２】
次に、アナログ再生信号８３は、ＬＰＦ７０７に入力される。ＬＰＦ７０７は、追記マークＳＭＫの記録された信号帯域のみを抽出して副情報帯域信号８４を生成する。この副情報帯域信号８４は、アナログ再生信号８３から凹凸記録マークＭＫの再生信号帯域を減衰させるので、凹凸記録マークＭＫ上の追記マークＳＭＫの信号帯域成分のみが抽出される。これによって、追記マークＳＭＫが記録されていない区間Ｂ１の副情報帯域信号８４は、副情報としてビット“０”となり、追記マークＳＭＫが記録されている区間Ｂ２の副情報帯域信号８４は、副情報としてビット“１”となる。クラスタ内で副情報が連続的に抽出されることによって、１つのクラスタで１００円分のプリペイド金額情報８５が得られる。
【０２０３】
本実施の形態では、課金処理前のプリペイド金額情報８５として、３クラスタで３００円分のプリペイド金額情報８５が再生されたことを示している。
【０２０４】
次に、１００円の課金処理が行われた後の光ディスクから、プリペイド金額情報を再生するときのタイミングチャート９について説明する。
【０２０５】
まず、光ディスク記録再生装置７００は、光ディスク７の起動時に、光ディスク７の内周側のコントロールデータ領域の管理情報を読み出すと共に、管理情報の凹凸記録マーク上の反射膜の反射率を変化させることによって形成された追記マークからプリペイド金額情報を読み出す。凹凸記録マークにより記録された管理情報９１は、エラー訂正符号化されたクラスタが円周方向に連続的に配置されている。
【０２０６】
課金情報の読み出しが完了した後、副情報エラー訂正部７０９は、プリペイド情報メモリ７１０に、光ディスク７に記録されているプリペイド金額情報を一時記憶する。プリペイド金額情報の読み出しが完了した後、システムコントローラ７１３は、課金情報受信部７１１によって受信した課金情報に基づいて、追記マークを消去するクラスタ数を算出する。
【０２０７】
フォーマッタ７０４は、算出されたクラスタ数に基づいて、追記マークの記録されている先頭クラスタから追記マークを消去する区間を示すタイミング信号９２を生成して、レーザパワー制御部７１８に出力する。レーザパワー制御部７１８は、タイミング信号９２で示された区間で、高出力の再生レーザ光を照射して、追記マークを消去する。本実施の形態では、１００円の課金情報を受信したときの動作を説明しているので、タイミング信号９２は、１クラスタの区間を示す信号となっている。
【０２０８】
タイミング信号９２によって高出力の再生レーザ光が照射された先頭のクラスタ９１ａでは、反射膜の反射率が全領域で変化して、追記マークが消去される。従って、課金処理前は、再生信号の反射率の変化を検知することによって追記マークを検出することができるのに対して、課金処理後は、追記マークの消去の行われた区間において、再生信号の反射率の変化を検知することができず追記マークを検出することができない（アナログ再生信号９３）。従って、１００円分のプリペイド金額情報が消去され、課金処理が行われる。一方、２番目のクラスタ９１ｂでは、高出力のレーザ照射が行われないので、追記マークは消去されず、反射率の変化から追記マークを再生して、１００円分のプリペイド金額情報が再生される。
【０２０９】
また、アナログ再生信号９３に示すように、高出力の再生レーザ光が照射された区間において、追記マークが記録されておらず標準の反射率で凹凸記録マークが再生されていた区間Ｊ１は、高出力の再生レーザ光が照射されたことによって反射率が変化する。そのため、区間Ｊ１と、予め追記マークが記録されていた区間Ｊ２との反射率の変化が検出されず、実質的に追記マークが消去される。
【０２１０】
すなわち、一定強度以上のレーザ光が照射された後の追記マークが形成されている領域及び追記マークが形成されていない領域における反射率の平均の差は、一定強度以上のレーザ光が照射される前の追記マークが形成されている領域及び追記マークが形成されていない領域における反射率の平均の差よりも縮小する。
【０２１１】
よって、追記マークが消去された領域は、全領域で反射率が一律となるので、追記マークによる反射率変化が見られないアナログ再生信号９４が抽出される。
【０２１２】
このようにして、プリペイド金額情報が記録されていた先頭クラスタ９１ａでは、追記マークが消去され、１００円分のプリペイド金額情報９５が消去され、課金処理が実行される。
【０２１３】
以上のように、本実施の形態の光ディスクには、凹凸記録マーク上の反射膜の反射率を変化させることによって形成する追記マークによって、プリペイド金額情報が記録される。従って、もともとコンテンツ情報を、反射率を変化させた記録マークで記録するライトワンスメディアにはプリペイド金額情報をコピーすることができない。よって、一般ユーザによる不正コピーが不可能な状態で、プリペイド金額情報を記録することができる。
【０２１４】
また、プリペイド金額情報は、反射膜の反射率を変化させることで記録されているので、保護膜を剥離して、凹凸記録マークを転写することによる不正コピーでも転写されない。
【０２１５】
このように、本実施の形態の光ディスクは、一般ユーザや海賊版メーカでも不正に複製のできない形態でプリペイド金額情報を記録することができ、課金情報などの高いセキュリティが求められる情報を記録することができる。
【０２１６】
また、本実施の形態の光ディスクには、凹凸記録マーク上に一般的にライトワンスメディアに使用される色素膜などの不可逆的な記録が可能な反射膜が用いられ、不可逆的な変化によって追記マークが形成される。また、消去する場合も同様に、不可逆的な変化が起きていない、すなわち追記マークの記録されていない領域に、不可逆的な変化を起こして、追記マークを記録し、情報を消去する。従って、不正な行為によりプリペイド金額情報を復元しようとしたとしても、一旦消去したプリペイド金額情報は復元することができず、安全な課金処理を実施することが可能である。
【０２１７】
また、本実施の形態の課金処理は、クレジットカード、電子マネー又はＷＥＢマネーのようにネットワークを介して接続されるサーバを利用することなく行われる。よって、課金処理を行うウェブサイトの成りすましによる被害に対して十分な耐性がある。
【０２１８】
また、追記マークを消去するための再生パワーは、通常の再生パワーの５倍程度の強度で十分であるので、市販されている光ディスク再生装置の構成から、ほぼコストアップすることなく実現できる。すなわち、従来の光ディスク再生装置は、再生信号を安定させるために、周期的に再生レーザ強度を高める高周波モジュールが適用されている。そのため、通常の光ディスク再生装置のレーザも、高出力を行うポテンシャルを既に持っており、新たな構成を追加することなく再生レーザ強度を高めることができる。
【０２１９】
なお、本実施の形態では、追記マークで記録する利用権利情報として、再生回数、再生時間及びプリペイド金額情報を記録する形態で説明したがこれに限られるものではない。記録回数、記録時間、再生又は記録の権利を行使する期間、コンテンツ情報の複製回数、あるいは移動可能回数を利用権利情報として記録してもよく、現在の光ディスクでは不可能な、高度な著作権管理を行うことが可能となり、著作者の著作権を保護しながら、ユーザの利便性を向上させることができる。
【０２２０】
次に、本実施の形態に係る光ディスク再生装置３００，５００及び光ディスク記録再生装置７００における副情報検出部３０７，５０８，７０８の内部構成について詳細に説明する。
【０２２１】
図１０は、図４，６，８に示す光ディスク再生装置３００，５００及び光ディスク記録再生装置７００の副情報検出部３０７，５０８，７０８の内部構成を示すブロック図である。副情報検出部３０７，５０８，７０８は、相関系列生成部９０１、ＰＥ変調部９０２、相関積分部９０３及び副情報抽出部９０４で構成される。
【０２２２】
相関系列生成部９０１は、副情報を検出する位置情報を示すタイミング信号が、フォーマッタ３０４，５０４，７０４から出力されるタイミングを基準として相関系列信号を生成し、ＰＥ変調部９０２に出力する。相関系列信号は、一般的なＭ系列などの擬似乱数系列であり、相関系列生成部９０１は、部分的にフィードバックを行うシフトレジスタによって構成される。本実施の形態の光ディスクは、相関系列生成部９０１が生成する同等の擬似乱数系列によって副情報がスクランブルされて記録されている。また、本実施の形態では、副情報を凹凸記録マークの６４チャネルビットを基準に、１ビットずつ記録する。すなわち、相関系列生成部９０１は、６４チャネルビットに１ビットずつの相関系列信号を時系列として生成する。
【０２２３】
ＰＥ変調部９０２は、相関系列生成部９０１によって生成された相関系列信号にＰＥ（Ｐｈａｓｅ  Ｅｎｃｏｄｅ）変調を施す。本実施の形態における光ディスクは、副情報が凹凸記録マークの６４チャネルビットに１ビットずつ記録されている。よって、ＰＥ変調部９０２は、相関系列生成部９０１で６４チャネルビット単位に1ビットずつの相関系列信号に対してＰＥ変調を施す。６４チャネルビット幅で相関系列信号“１”が相関系列生成部９０１から出力される場合、ＰＥ変調部９０２は、前半の３２チャネルビットを“１”とし、後半の３２チャネルビットを“０”とするＰＥ相関系列信号を出力する。一方、６４チャネルビット幅で相関系列信号“０”が相関系列生成部９０１から出力される場合、ＰＥ変調部９０２は、前半の３２チャネルビットを“０”とし、後半の３２チャネルビットを“１”とするＰＥ相関系列信号を出力する。このようにして、ＰＥ変調部９０２は、相関系列生成部９０１から出力される相関系列信号にＰＥ変調を施したＰＥ相関系列信号を生成して、相関積分部９０３に出力する。
【０２２４】
相関積分部９０３は、ＰＥ変調部９０２から入力されるＰＥ相関系列信号と、ＬＰＦ３０６，５０７，７０７から入力される副情報帯域信号との相関値を算出して、副情報ビット毎積分情報を生成し、副情報抽出部９０４に出力する。副情報帯域信号は、光ディスクにレーザ光を照射した際の反射光であるアナログ再生信号にＬＰＦ３０６，５０７，７０７で、副情報の記録されている帯域情報を抽出する。
【０２２５】
ＬＰＦ３０６，５０７，７０７は、一般的な低域通過フィルタである。本実施の形態の副情報は、凹凸記録マークの６４チャネルビット周期で光ディスクに記録される。従って、低域通過フィルタのカットオフ周波数は、１２８チャネルビット周期以下に設定されていることが望ましい。これは、１倍速のＢｌｕ−ｒａｙディスクにおける２ＭＨｚ程度、１倍速のＤＶＤ−ＲＯＭにおける８００ＫＨｚ程度になる。このように、ＬＰＦ３０６，５０７，７０７によって、凹凸記録マーク上の反射膜の反射率を変化させることによって記録されている副情報の帯域信号がアナログ副情報帯域信号として抽出される。
【０２２６】
また、ＬＰＦ３０６，５０７，７０７は、入力されるアナログ再生信号から副情報の記録されている帯域信号を抽出した後、二値化することによって、副情報帯域信号を生成する。従って、副情報帯域信号は、光ディスクの反射膜の反射率を高くした領域でＨレベルとなり、光ディスクの反射膜の反射率を変化させていない領域でＬレベルとなる。相関積分部９０３は、副情報の記録されている６４チャネルビットの間隔を基準として、チャネルビット単位に副情報帯域信号とＰＥ相関系列信号との相関積分を行う。
【０２２７】
すなわち、相関積分部９０３は、副情報帯域信号がＨレベルであり、かつＰＥ相関系列信号がＨレベルである場合、あるいは副情報帯域信号がＬレベルであり、かつＰＥ相関系列信号がＬレベルである場合には、副情報のビット毎に有した積分器に“＋１”を加算する。一方、相関積分部９０３は、副情報帯域信号がＨレベルであり、かつＰＥ相関系列信号がＬレベルである場合、あるいは副情報帯域信号がＬレベルであり、かつＰＥ相関系列信号がＨレベルである場合には、副情報のビット毎に有した積分器に“−１”を加算する。これにより、相関積分部９０３は、副情報帯域信号とＰＥ相関系列信号との相関値を副情報の１ビットが記録されている区間（本実施の形態では６４チャネルビット）ごとに算出する。相関積分部９０３は、副情報帯域信号とＰＥ相関系列信号との相関値を、副情報が記録されている全区間で算出することによって、副情報１ビットごとの相関積分値を抽出して、副情報ビット毎積分情報を生成し、副情報抽出部９０４に出力する。
【０２２８】
副情報抽出部９０４は、相関積分部９０３から入力される副情報ビット毎積分情報から、副情報を抽出する。副情報抽出部９０４は、副情報のビット毎の積分情報が“正”の積分値である場合には、副情報ビットとして“０”を生成し、副情報のビット毎の積分情報が“負”の積分値である場合には、副情報ビットとして“１”を生成して、訂正前副情報として出力する。
【０２２９】
以上のように、光ディスクからの反射光の強度を示すアナログ再生信号から、副情報の記録されている帯域成分が抽出され、副情報の記録時に用いた同様の相関系列との相関が積分され、その積分値に応じて副情報が抽出される。従って、副情報の記録されていない光ディスクでは、副情報帯域信号とＰＥ相関系列信号との積分値が全ビットでほぼ“０”となるので、副情報が記録されていないことが判定可能である。
【０２３０】
図１１は、図１０の副情報抽出部９０４の副情報抽出のための副情報ビット毎積分情報の積分値の閾値判定方法を表した概念図である。
【０２３１】
副情報抽出部９０４は、副情報のビット毎の積分値を閾値±αと比較する。すなわち、副情報抽出部９０４は、積分値が＋α以上である場合には、ビット“０”を、積分値が−α以下である場合には、ビット“１”を副情報ビットとして抽出する。しかしながら、副情報抽出部９０４は、積分値が±α以内である場合には、安定して副情報が再生できていないとして、副情報読み出しエラーと判断する。副情報の１ビットでも読み出しエラーとなった場合には、副情報の読み出し動作を再度実施するか、副情報の読み出し領域を変更して再度、副情報読み出し動作を実施する。このように、副情報の読み出しに関して、積分値の閾値判定を実施することによって、副情報が記録されておらず、積分値が０付近でばらつく光ディスクでは、副情報が記録されていない旨を判定することが可能となり、光ディスクの再生そのものを中断することが可能となる。
【０２３２】
図１２は、本実施の形態の光ディスク再生装置及び光ディスク記録再生装置の副情報検出部３０７，５０８，７０８の副情報の読み出し動作を表したタイミングチャートである。
【０２３３】
本実施の形態の光ディスクは、凹凸記録マークによって管理情報及びコンテンツ情報が記録され、凹凸記録マーク上の反射膜にレーザ光を照射して反射率を変化させることによって副情報が記録される。凹凸記録マークは、同期符号により区切られたフレーム単位で円周方向上に連続的に記録されている。なお、本実施の形態のフレームは、１０２４チャネルビット長を有する場合について説明する（図１２のフレームカウント値１２１）。
【０２３４】
図１２に示すアナログ再生信号１２２は、アナログ信号処理部３０２，５０２，７０２から出力される。光ディスクに記録される副情報は、フレーム単位に同期して、１フレーム内に１６ビットの副情報が記録されている。よって、１ビットの副情報は、６４チャネルビット長に記録されている（区間Ｌ１）。１ビットの副情報は、ＰＥ変調されて記録されている。そのため、６４チャネルビットの区間で、先頭の３２チャネルビット分は、レーザ照射によって反射率が高くされ、残り３２チャネルビット分はレーザ照射が行われない。
【０２３５】
図１２に示す副情報帯域信号１２３は、ＬＰＦ３０６，５０７，７０７から副情報検出部３０７，５０８，７０８に入力される。この副情報帯域信号１２３は、アナログ再生信号１２２から、ＬＰＦ３０６，５０７，７０７によって副情報の記録帯域情報を抽出した後、二値化した信号である。したがって、副情報帯域信号１２３は、光ディスクの凹凸記録マーク上にレーザ照射を行って反射率が高くなっている領域がＨレベルとなる信号となり、相関積分部９０３に入力される。
【０２３６】
図１２に示す相関系列信号１２４は、相関系列生成部９０１で生成される。相関系列生成部９０１は、フレームの先頭位置を表すタイミング信号をフォーマッタ３０４，５０４，７０４から受け取り、このタイミング信号を基準に６４チャネルビット毎に１ビットの相関系列信号１２４を生成して、ＰＥ変調部９０２に出力する。
【０２３７】
図１２に示すＰＥ相関系列信号１２５は、ＰＥ変調部９０２によって、相関系列信号１２４にＰＥ変調を施すことにより生成される。相関系列信号１２４が“０”の場合には、ＰＥ変調部９０２は、前半の３２チャネルビットを“０”とし、後半の３２チャネルビットを“１”とするＰＥ相関系列信号１２５を生成して相関積分部９０３に出力する。また、相関系列信号１２４が“１”の場合には、ＰＥ変調部９０２は、前半の３２チャネルビットを“１”とし、後半の３２チャネルビットを“０”とするＰＥ相関系列信号１２５を生成して相関積分部９０３に出力する。
【０２３８】
図１２に示す副情報帯域信号とＰＥ相関系列信号との相関積分値１２６，１２７は、相関積分部９０３によって算出される。図１２に示す相関積分値１２６は、区間Ｌ１に記録された副情報の相関積分値の推移を示しており、図１２に示す相関積分値１２７は、区間Ｌ２に記録された副情報の相関積分値の推移を示している。区間Ｌ１では、副情報帯域信号１２３と、相関系列信号１２４とに負の相関があり、相関積分値１２６は、負の方向に積分される。一方、区間Ｌ２では、副情報帯域信号１２３と、相関系列信号１２４とに正の相関があり、相関積分値１２７は、正の方向に積分される。
【０２３９】
また、本実施の形態では、同じ副情報ビットが、フレーム毎に繰り返し記録されている。本実施の形態の光ディスク再生装置及び光ディスク記録再生装置では、副情報の各ビットの積分値が、図１１で示した正あるいは負の閾値（±α）のどちらかを超えたとき、副情報抽出部９０４によって副情報が抽出される。一方、副情報の記録されている全区間での積分が終了したにもかかわらず、副情報の各ビットのいずれかが閾値を超えていない場合には、副情報の読み出しエラーが出力される。
【０２４０】
これによって、凹凸記録マークのトラック上の反射膜の反射率を変化させることによって副情報が記録された光ディスクから、副情報を読み出すことができるとともに、副情報が記録されていない場合には、副情報が記録されていないことが判別可能となる。
【０２４１】
次に、本実施の形態の光ディスク再生装置及び光ディスク記録再生装置において、副情報が消去されたか否かを確認する副情報消去確認処理について説明する。
【０２４２】
図１３は、副情報の再生、副情報の消去、及び副情報の消去確認を行う処理の流れを示すフローチャートである。なお、以下では、図４に示す光ディスク再生装置３００及び図１０に示す副情報検出部３０７を用いた動作について説明する。
【０２４３】
まず、システムコントローラ３１４は、ユーザ操作に従って、ユーザ操作に対する利用権利情報が存在するか否かを確認するために副情報の記録領域から副情報の再生を行う（ステップＳ１）。上記利用権利情報とは、コンテンツ情報の再生可能回数及び再生可能時間などのコンテンツ情報を再生する権限を表す情報、あるいはコンテンツ情報の複製可能回数及び複製許可期間などのコンテンツ情報を複製する権限を表す情報、あるいはネットワークを介してコンテンツ情報を得る場合に課金される金額情報を示す。
【０２４４】
次に、副情報検出部３０７の副情報抽出部９０４は、副情報の各ビットの相関積分値が、図１１で示す閾値±αを超えているか否かを判定して、副情報が記録されているか否かを判定する（ステップＳ２）。
【０２４５】
副情報の各ビットの相関積分値のうち１ビットでも閾値±αを超えていないと判定された場合（ステップＳ２でＮＯ）、副情報抽出部９０４は、副情報読み出しエラーをシステムコントローラ３１４へ出力し、処理を中断する（ステップＳ３）。
【０２４６】
副情報の各ビットの相関積分値がすべて閾値±αを超えていると判定された場合（ステップＳ２でＹＥＳ）、副情報抽出部９０４は、副情報が検出できたとして、訂正前副情報を副情報エラー訂正部３０８に出力する。次に、副情報エラー訂正部３０８は、副情報のエラー訂正処理を行い、副情報から利用権利情報（再生可能回数情報）を抽出する（ステップＳ４）。このようにして、利用権利情報が副情報として再生される。
【０２４７】
次に、再生可能回数判定部３０９は、利用権利情報（再生可能回数情報）に基づいて、ユーザ指定の操作、すなわちコンテンツ情報の再生が可能であるか否かを判断する（ステップＳ５）。ここで、ユーザ指定の操作が不可能であると判断された場合（ステップＳ５でＮＯ）、再生可能回数判定部３０９は、ユーザ操作エラーをシステムコントローラ３１４へ出力する（ステップＳ６）。システムコントローラ３１４は、ユーザ操作エラーが入力されると、ユーザによって指定された操作が不可能である旨を不図示の表示装置に表示する。
【０２４８】
一方、ユーザ指定の操作が可能であると判断された場合（ステップＳ５でＹＥＳ）、再生可能回数判定部３０９は、ユーザ操作に応じて権利行使を行う。すなわち、再生可能回数判定部３０９は、再生許可信号をスイッチ３１０へ出力する。これにより、コンテンツ情報が再生される（ステップＳ７）。コンテンツ情報が再生された後、システムコントローラ３１４は、権利行使の内容に応じて、副情報（利用権利情報）を消去する（ステップＳ８）。具体的には、副情報として再生可能回数情報が記録されている場合には、コンテンツ情報の１回の再生毎に、システムコントローラ３１４は、１回分の再生許可情報を消去するための更新命令をフォーマッタ３０４へ出力する。また、利用権利情報がプリペイド金額情報である場合には、システムコントローラ３１４は、課金情報に応じて、光ディスクに副情報として記録されているプリペイド金額情報を消去するための更新命令をフォーマッタ３０４へ出力する。
【０２４９】
副情報が消去された後、システムコントローラ３１４は、副情報を消去した領域に光学ヘッド３０１を移動させ、副情報が正しく消去されているか否かを確認する（ステップＳ９）。なお、ここでは、ステップＳ１で行った副情報の再生処理と同様の処理が行われる。
【０２５０】
次に、副情報検出部３０７の副情報抽出部９０４は、再生された副情報の各ビットの相関積分値が、副情報消去時の閾値±β以内の範囲に収まっていることを確認する。すなわち、副情報抽出部９０４は、再生された副情報の各ビットの相関積分値が、副情報消去時の閾値±βを超えているか否かを判定して、副情報が消去されているか否かを判定する（ステップＳ１０）。なお、副情報再生時の相関積分値の閾値±αに対して、副情報消去時の相関積分値の閾値±βは小さく設定する（α＞β）。これによって、副情報消去時に副情報の全ビットで相関積分値の絶対値が閾値β以下であるならば、閾値βより大きい閾値αで判定される再生時において、消去した領域が誤って再生されることがなくなる。従って、副情報再生時の相関積分値の閾値±αに対して、副情報消去時の閾値±βは小さく設定することが必要である。
【０２５１】
ここで、副情報の各ビットの相関積分値のうち１ビットでも閾値±βを超えていると判定された場合（ステップＳ１０でＹＥＳ）、ステップＳ８の処理へ戻り、副情報の消去動作を再度行う。一方、副情報の各ビットの相関積分値がすべて閾値±βを超えていないと判定された場合（ステップＳ１０でＮＯ）、システムコントローラ３１４は、副情報が安全に消去されたとして処理を終了する。
【０２５２】
このように、副情報が消去された後、消去された副情報が記録されていた領域にレーザ光が照射され、副情報検出部３０７によって、副情報が検出されるか否かが確認されるので、確実に副情報を消去することができる。
【０２５３】
以上のように、本実施の形態の光ディスク再生装置及び光ディスク記録再生装置では、利用権利情報（副情報）が再生された後、ユーザ操作に応じてコンテンツ情報が再生又は記録され、ユーザ操作に対応して利用権利情報（副情報）が消去される。そして、利用権利情報（副情報）が消去された後、利用権利情報の再生に用いた閾値条件よりも厳しい閾値条件を用いて利用権利情報の消去が確認されることによって、安全に副情報が消去されているかを確認することが可能となる。従って、ユーザによりコンテンツ情報の利用権利が行使された場合に、利用権利情報が消去されておらず、再度、ユーザにコンテンツ情報の利用権利を与えるという事態を回避することが可能となる。
【産業上の利用可能性】
【０２５４】
本発明に係る光ディスク及び光ディスク再生装置は、副情報の不正な複製及び改ざんを防止することができ、凹凸記録マークによって主情報が記録されるとともに、前記凹凸記録マークが形成された領域上の反射膜の反射率を変化させることによって副情報が記録される光ディスク及びその光ディスクを再生する光ディスク再生装置として有用である。
【図面の簡単な説明】
【０２５５】
【図１】本発明の一実施の形態に係る光ディスクの構造を示す概念図である。
【図２】本実施の形態に係る光ディスクの内周側のコントロール領域の記録面を示す概念図である。
【図３】利用権利情報として再生可能回数限定情報を記録した光ディスクについて説明するための概念図である。
【図４】コンテンツ情報の利用回数制限に用いる本実施の形態に係る光ディスク再生装置の構成を示すブロック図である。
【図５】利用権利情報として再生可能時間情報を記録した光ディスクについて説明するための概念図である。
【図６】コンテンツ情報の利用時間制限に用いる本実施の形態に係る光ディスク再生装置の構成を示すブロック図である。
【図７】利用権利情報としてプリペイド金額情報を記録した光ディスクについて説明するための概念図である。
【図８】コンテンツ情報の課金制御に用いる本実施の形態に係る光ディスク記録再生装置の構成を示すブロック図である。
【図９】課金処理前及び課金処理後における本実施の形態に係る光ディスク記録再生装置の動作を示すタイミングチャートである。
【図１０】図４，６，８に示す光ディスク再生装置及び光ディスク記録再生装置の副情報検出部の内部構成を示すブロック図である。
【図１１】図１０の副情報抽出部の副情報抽出のための副情報ビット毎積分情報の積分値の閾値判定方法を表した概念図である。
【図１２】本実施の形態の光ディスク再生装置及び光ディスク記録再生装置の副情報検出部の副情報の読み出し動作を表したタイミングチャートである。
【図１３】副情報の再生、副情報の消去、及び副情報の消去確認を行う処理の流れを示すフローチャートである。
【符号の説明】
【０２５６】
１〜７，１００，１０１    光ディスク
１Ｃ    カバー層
１Ｐ    光ディスク基板
１Ｌ    反射膜
１０    凹凸記録マーク
１１    追記マーク
３００，５００    光ディスク再生装置
３０１，５０１，７０１    光学ヘッド
３０２，５０２，７０２    アナログ信号処理部
３０３，５０３，７０３    デジタル信号処理部
３０４，５０４，７０４    フォーマッタ
３０５，５０５，７０５    エラー訂正部
３０６，５０７，７０７    ＬＰＦ
３０７，５０８，７０８    副情報検出部
３０８，５０９，７０９    副情報エラー訂正部
３０９    再生可能回数判定部
３１０，５１１    スイッチ
３１１，５１２，７０６    再生データ転送部
３１２，５１３，７１８    レーザパワー制御部
３１３，５１４，７１９    サーボ
３１４，５１５，７１３    システムコントローラ
３１５，５１６，７２０    スピンドルモータ
３１６，５１７，７２２    画像／音声処理装置
５０６    再生時間検出部
５１０    再生可能時間判定部
７００    光ディスク記録再生装置
７１０    プリペイド情報メモリ
７１１    課金情報受信部
７１２    課金情報メモリ
７１４    コンテンツ受信部
７１５    エラー訂正符号化部
７１６    変調部
７１７    記録光変調部
７２１    通信部
９０１    相関系列生成部
９０２    ＰＥ変調部
９０３    相関積分部
９０４    副情報抽出部
ＣＬＰ    クランプ領域
ＣＴＬ    コントロール領域
ＵＳＲ    ユーザ領域
【図１】
2008269763.tif 000003
【図２】
2008269763.tif 000004
【図３】
2008269763.tif 000005
【図４】
2008269763.tif 000006
【図５】
2008269763.tif 000007
【図６】
2008269763.tif 000008
【図７】
2008269763.tif 000009
【図８】
2008269763.tif 000010
【図９】
2008269763.tif 000011
【図１０】
2008269763.tif 000012
【図１１】
2008269763.tif 000013
【図１３】
2008269763.tif 000014
【図１２】
2008269763.tif 000015